【事件の表示】
　特許第６１１５０００号発明「分電盤、分電盤システム、自立分電盤」の特許異議申立事件について、次のとおり決定する。
【結　論】
　特許第６１１５０００号の明細書及び特許請求の範囲を訂正請求書に添付された訂正明細書及び特許請求の範囲のとおり、訂正後の請求項〔１−１７〕、〔１８−２２〕について」）訂正することを認める。
　特許第６１１５０００号の請求項１、２、３、４、７、９、１５、１７、１８、１９、２０、２１、２２に係る特許を維持する。
【理　由】
第１　手続の経緯
　特許第６１１５０００号（以下、「本件特許」という。）の請求項１〜２２に係る特許についての出願は、２０１４年３月１９日（優先権主張２０１３年４月８日、日本国）を国際出願日として特許出願され、平成２９年３月３１日にその特許権の設定登録がされ、その後、その特許の請求項１、２、３、４、７、９、１５、１７、１８、１９、２０、２１、２２に係る特許について、平成２９年１０月１６日に特許異議申立人　川島与志雄（以下、「特許異議申立人」という。）により特許異議の申立てがされ、当審において平成３０年１月２６日付けで取消理由を通知し、同年３月３０日付けで意見書の提出及び訂正の請求があり、その訂正の請求に対して平成３０年５月１７日付けで特許異議申立人から意見書が提出されたものである。
第２　訂正の適否についての判断
１．訂正の内容
　平成３０年３月３０日付けの訂正の請求（以下、「本件訂正請求」という。）による訂正の内容は以下のとおりである。
　なお、下線部は訂正箇所を示す。以下同様。
（１）訂正事項１
　特許請求の範囲の請求項１に、
「前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含む」
とあるのを、
「前記入力情報は、前記電力系統から受電する電力に関する情報と、前記複数の分岐ブレーカをそれぞれ通過する電力に関する情報
と、前
み、前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になる
に訂正する。
　請求項１の記載を引用する請求項２〜４、７、９、１５、１７も同様に訂正する。
（２）訂正事項２
　特許請求の範囲の請求項５に、
「前記通信インターフェイス部は、さらに、前記所定場所に設置される設備機器と通信するよう構成され、前記処理部は、前記設備機器の制御と監視との少なくとも一方を行うよう構成される請求項４記載の分電盤。」
とあるのを、
「
分電盤であって、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、
る分
に訂正する。
　請求項５の記載を引用する請求項７、９、１５、１７も同様に訂正する。
（３）訂正事項３
　特許請求の範囲の請求項６に、
「前記通信インターフェイス部は、さらに、通信機能を有した電力量計と通信するよう構成され、前記処理部は、前記電力量計から取得した情報を前記入力情報に加えるよう構成される請求項４又は５記載の分電盤。」
とあるのを、
「
分電盤であって、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、
る分
に訂正する。
　請求項６の記載を引用する請求項７、９、１５、１７も同様に訂正する。
（４）訂正事項４
　特許請求の範囲の請求項８に、
「前記通信インターフェイス部は、前記コントローラと通信するよう構成され、前記処理部は、前記コントローラから前記設備機器に関する情報を取得し、前記コントローラから取得した前記設備機器に関する情報を前記入力情報に加え、前記入力情報に基づいて前記設備機器を管理する情報を生成し、生成した情報を前記出力情報として前記コントローラに引き渡すよう構成される請求項４〜７のいずれか１項に記載の分電盤。」
とあるのを、
「
分電盤であって、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、
る分
に訂正する。
　請求項８の記載を引用する請求項９、１５、１７も同様に訂正する。
（５）訂正事項５
　特許請求の範囲の請求項１０に、
「記憶媒体が着脱可能に装着される接続部をさらに備え、前記処理部は、前記入力情報から前記出力情報を生成するためのプログラムを実行するプロセッサを備え、前記記憶媒体から前記プログラムを取得するよう構成される請求項１〜８のいずれか１項に記載の分電盤。」
とあるのを、
「
分電盤であって、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、
る分
に訂正する。
　請求項１０の記載を引用する請求項１５、１７も同様に訂正する。
（６）訂正事項６
　特許請求の範囲の請求項１１に、
「前記連携アダプタは、前記電力系統の電源線が接続される第１の端子部と、前記第１の端子部と電気的に接続され、かつ前記主幹ブレーカが電気的に接続される第２の端子部とを備える請求項１〜１０のいずれか１項に記載の分電盤。」
とあるのを、
「
分電盤であって、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、
る分
に訂正する。
　請求項１１の記載を引用する請求項１５、１７も同様に訂正する。
（７）訂正事項７
　特許請求の範囲の請求項１２に、
「前記連携アダプタは、前記電力系統の電源線が接続される第１の端子部と、前記第１の端子部と電気的に接続され、かつ前記主幹ブレーカが電気的に接続される第２の端子部と、前記第１の端子部および前記第２の端子部と電気的に接続され、かつ前記第１の開閉器が電気的に接続される第３の端子部とを備える請求項１〜１０のいずれか１項に記載の分電盤。」
とあるのを、
「
分電盤であって、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、
る分
に訂正する。
　請求項１２の記載を引用する請求項１３〜１５、１７も同様に訂正する。
　なお、訂正請求書における「請求項１２の記載を引用する請求項１５、１７も同様に訂正する」（８頁１１〜１２行）との記載は、引用関係からみて、上記のとおり「請求項１３〜１５、１７も同様に訂正する」の誤記と認める。
（８）訂正事項８
　特許請求の範囲の請求項１６に、
「前記連携アダプタは、前記処理部を収納し、且つ前記分電盤に取り付けられる器体をさらに備え、前記第１の取付スペースが前記器体に設けられている請求項１〜１５のいずれか１項に記載の分電盤。」
とあるのを、
「
分電盤であって、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、
る分
に訂正する。
　請求項１６の記載を引用する請求項１７も同様に訂正する。
（９）訂正事項９
　明細書の段落【０００７】を、
「本発明に係る
一態様の
を備え、
、第１の取付スペースと、
、第２の取付スペースと、
とを備
、
と、前
み、前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になる
本発明に係る一態様の分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、前記通信インターフェイス部は、さらに、前記所定場所に設置される設備機器と通信するよう構成され、前記処理部は、前記設備機器の制御と監視との少なくとも一方を行うよう構成される。本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、前記通信インターフェイス部は、さらに、通信機能を有した電力量計と通信するよう構成され、前記処理部は、前記電力量計から取得した情報を前記入力情報に加えるよう構成される。本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、前記通信インターフェイス部は、前記コントローラと通信するよう構成され、前記処理部は、前記コントローラから前記設備機器に関する情報を取得し、前記コントローラから取得した前記設備機器に関する情報を前記入力情報に加え、前記入力情報に基づいて前記設備機器を管理する情報を生成し、生成した情報を前記出力情報として前記コントローラに引き渡すよう構成される。本発明に係る一態様の分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、記憶媒体が着脱可能に装着される接続部をさらに備え、前記処理部は、前記入力情報から前記出力情報を生成するためのプログラムを実行するプロセッサを備え、前記記憶媒体から前記プログラムを取得するよう構成される。本発明に係る一態様の分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記電力系統の電源線が接続される第１の端子部と、前記第１の端子部と電気的に接続され、かつ前記主幹ブレーカが電気的に接続される第２の端子部とを備える。本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記電力系統の電源線が接続される第１の端子部と、前記第１の端子部と電気的に接続され、かつ前記主幹ブレーカが電気的に接続される第２の端子部と、前記第１の端子部および前記第２の端子部と電気的に接続され、かつ前記第１の開閉器が電気的に接続される第３の端子部とを備える。本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記処理部を収納し、且つ前記分電盤に取り付けられる器体をさらに備え、前記第１の取付スペースが前記器体に設けられている。
に訂正する。
（１０）訂正事項１０
　特許請求の範囲の請求項１８に、
「前記分電盤は、電力系統の電源線と電気的に接続される主幹ブレーカと、前記主幹ブレーカの負荷側の電路を複数の負荷回路に分岐する複数の分岐ブレーカと、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない前記第２の分散型電源と前記主幹ブレーカの負荷側との間に接続される第２の開閉器が配置される、第２の取付スペースとを備え、」
とあるのを、
「前記分電盤は、電力系統の電源線と電気的に接続される主幹ブレーカと、前記主幹ブレーカの負荷側の電路を複数の負荷回路に分岐する複数の分岐ブレーカと、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない前記第２の分散型電源と前記主幹ブレーカの負荷側との間に接続される第２の開閉器が配置される、第２の取付スペースと
、連携アダプタと
前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第２の開閉器を通過する電力に関する情報との少なくとも一つを含み、前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になり、
に訂正する。
　請求項１８の記載を引用する請求項１９〜２２も同様に訂正する。
（１１）訂正事項１１
　明細書の段落【００２５】を、
「本発明に係る分電盤システムは、系統電源からの電力供給が停止している状態で電力の出力が可能である前記第２の分散型電源が接続された分電盤と、前記系統電源からの電力供給が停止している状態で電力供給が必要である機器が接続された第２の分岐ブレーカを備える自立分電盤とを備える。前記分電盤は、電力系統の電源線と電気的に接続される主幹ブレーカと、前記主幹ブレーカの負荷側の電路を複数の負荷回路に分岐する複数の分岐ブレーカと、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない前記第２の分散型電源と前記主幹ブレーカの負荷側との間に接続される第２の開閉器が配置される、第２の取付スペースと
、連携アダプタと
前記連携アダプタは、入力情報に基づいて他装置に出力する出力情報を生成するよう構成される処理部を備える。前記入力情報は、前記電力系統から受電する電力に関する情報と、前記複数の分岐ブレーカをそれぞれ通過する電力に関する情報と、前記第２の開閉器を通過する電力に関する情報との少なくとも一つを含む。前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になる。
に訂正する。
２．訂正の適否
（１）訂正事項１について
ア　訂正の目的
　訂正事項１は、訂正前の請求項１に係る発明の「入力情報」に関して、「電力系統から受電する電力に関する情報」、「複数の分岐ブレーカをそれぞれ通過する電力に関する情報」、「第１の開閉器を通過する電力に関する情報」、「第２の開閉器を通過する電力に関する情報」の４つの選択肢の中から「少なくとも一つを含む」としていたところ、「第１の開閉器を通過する電力に関する情報」を省いた３つの選択肢の中から「少なくとも一つを含む」とする訂正（以下、「訂正事項１−１」という。）を含んでおり、当該訂正事項１−１は、択一的記載の要素を削除するものであり、特許請求の範囲の減縮を目的とするものといえる。
　また、訂正事項１は、訂正前の請求項１に係る発明の「入力情報」に関して、「第１の分散型電源が第１の取付スペースに配置された第１の開閉器に接続されると、」「第１の開閉器を通過する電力に関する情報を更に含む」との特定を付加するとともに、「処理部」に関して、「第１の分散型電源が第１の取付スペースに配置された第１の開閉器に接続されると、第１の開閉器を通過する電力に関する情報を処理するためのプログラムとデータとを読み込むことで、第１の開閉器を通過する電力に関する情報を更に含む入力情報に基づいて出力情報を生成する処理が可能になる」との特定を付加する訂正（以下、「訂正事項１−２」という。）を含んでおり、当該訂正は、特許請求の範囲の減縮を目的とするものといえる。
　以上を総合すると、訂正事項１は、特許法第１２０条の５第２項ただし書第１号に規定する「特許請求の範囲の減縮」を目的とするものといえる。
イ　願書に添付した明細書、特許請求の範囲又は図面に記載した事項の範囲内であること
　訂正事項１−１は、訂正前の請求項１に係る発明の「入力情報」に関する前記の４つの選択肢から１つを省くものであり、願書に添付した特許請求の範囲に記載した事項の範囲内のものといえる。
　また、願書に添付した明細書には次の記載がある。なお、下線は当審で付したものである。以下同様。
「【００９４】
　第１の分散型電源４１が発電した電力に関する情報を処理部１３が入力情報に用いて出力情報を生成する処理は、第１の分散型電源４１が接続されている場合にのみ必要になる。そのため、
第１の分散型電源４１が接続されたときに、該当するプログラムとデータ（第１の開閉器５１を通過する電力に関する情報を処理するためのプログラムとデータ）を処理部１３で読み込むことが望ましい
「【０１１３】
　
処理部１３は、分電盤３０に第１の分散型電源４１が接続されると、第１の開閉器５１を通過する電力に関する情報を入力情報に加える
「【０１４５】
　太陽光発電装置のように発電した電力を電力系統へ逆潮流させる（たとえば、電力系統への逆潮流が許容されている）第１の分散型電源４１を需要家が導入する場合は、連携アダプタ１０に、第１の分散型電源４１を主幹回路に接続するための第１の開閉器５１が取りつけられる。さらに、
第１の分散型電源４１が接続された場合の処理が可能になるように、連携アダプタ１０における処理部１３のプログラムとデータの更新が行われる
　以上の記載を参照すれば、訂正事項１−２は、願書に添付した明細書に記載した事項の範囲内ものといえる。
　よって、訂正事項１は、願書に添付した明細書及び特許請求の範囲に記載した事項の範囲内のものであり、特許法第１２０条の５第９項で準用する特許法第１２６条第５項の規定に適合するといえる。
ウ　実質上特許請求の範囲を拡張し、又は変更する訂正ではないこと
　訂正事項１は、訂正前の請求項１に係る発明を減縮するものであり、カテゴリーや対象、目的を変更するものではないから、実質上特許請求の範囲を拡張し、又は変更するものには該当しない。
　よって、訂正事項１は、特許法第１２０条の５第９項で準用する特許法第１２６条第６項の規定に適合するといえる。
（２）訂正事項２〜８について
ア　訂正の目的
（ア）
　訂正事項２は、訂正前の請求項５が訂正前の請求項４を引用し、訂正前の請求項４が訂正前の請求項１〜３のいずれか１項の記載を引用する記載であったものを、請求項１及び４を引用するものについて請求項間の引用関係を解消し、独立形式請求項に改めるための訂正である。
（イ）
　訂正事項３は、訂正前の請求項６が訂正前の請求項４又は５の記載を引用し、訂正前の請求項４が訂正前の請求項１〜３のいずれか１項の記載を引用する記載であったものを、請求項１及び４を引用するものについて請求項間の引用関係を解消し、独立形式請求項に改めるための訂正である。
（ウ）
　訂正事項４は、訂正前の請求項８が訂正前の請求項４〜７のいずれか１項の記載を引用し、訂正前の請求項４が訂正前の請求項１〜３のいずれか１項の記載を引用する記載であったものを、請求項１及び４を引用するものについて請求項間の引用関係を解消し、独立形式請求項に改めるための訂正である。
（エ）
　訂正事項５は、訂正前の請求項１０が訂正前の請求項１〜８のいずれか１項の記載を引用する記載であったものを、請求項１を引用するものについて請求項間の引用関係を解消し、独立形式請求項に改めるための訂正である。
（オ）
　訂正事項６は、訂正前の請求項１１が訂正前の請求項１〜１０のいずれか１項の記載を引用する記載であったものを、請求項１を引用するものについて請求項間の引用関係を解消し、独立形式請求項に改めるための訂正である。
（カ）
　訂正事項７は、訂正前の請求項１２が訂正前の請求項１〜１０のいずれか１項の記載を引用する記載であったものを、請求項１を引用するものについて請求項間の引用関係を解消し、独立形式請求項に改めるための訂正である。
（キ）
　訂正事項８は、訂正前の請求項１６が訂正前の請求項１〜１５のいずれか１項の記載を引用する記載であったものを、請求項１を引用するものについて請求項間の引用関係を解消し、独立形式請求項に改めるための訂正である。
（ク）
　以上のとおりであるので、訂正事項２〜８は、特許法第１２０条の５第２項ただし書第４号に規定する「他の請求項の記載を引用する請求項の記載を当該他の請求項の記載を引用しないものとすること」を目的とするものといえる。
イ　願書に添付した明細書、特許請求の範囲又は図面に記載した事項の範囲内であること及び実質上特許請求の範囲を拡張し、又は変更する訂正ではないこと
　訂正事項２〜８は、何ら実質的な内容の変更を伴うものではないから、願書に添付した明細書、特許請求の範囲又は図面に記載した事項の範囲内であること及び実質上特許請求の範囲を拡張し、又は変更する訂正ではないことは、明らかであり、特許法第１２０条の５第９項で準用する特許法第１２６条第５項、第６項の規定に適合するといえる。
（３）訂正事項９について
ア　訂正の目的
　訂正事項９は、訂正事項１〜８による特許請求の範囲の訂正に伴い、対応する明細書の記載の整合を図るためにする訂正であり、特許法第１２０条の５第２項ただし書第３号に規定する「明瞭でない記載の釈明」を目的とするものといえる。
イ　願書に添付した明細書、特許請求の範囲又は図面に記載した事項の範囲内であること及び実質上特許請求の範囲を拡張し、又は変更する訂正ではないこと
　訂正事項９は、訂正事項１〜８と同じ内容のものであるので、訂正事項１〜８と同様に、願書に添付した明細書、特許請求の範囲又は図面に記載した事項の範囲内であり、実質上特許請求の範囲を拡張し、又は変更する訂正ではないので、特許法第１２０条の５第９項で準用する特許法第１２６条第５項、第６項の規定に適合するといえる。
（４）訂正事項１０について
ア　訂正の目的
　訂正事項１０は、訂正前の請求項１８に係る発明に、「連携アダプタ」に関する発明特定事項を付加するものであり、特許法第１２０条の５第２項ただし書第１号に規定する「特許請求の範囲の減縮」を目的とするものといえる。
イ　願書に添付した明細書、特許請求の範囲又は図面に記載した事項の範囲内であること
　願書に添付した明細書には次の記載がある。
「【０１３４】
　（自立分電盤との連携）
　以下、本実施形態の分電盤システムについて説明する。図１に示すように、本実施形態の
分電盤システムは
分電盤３０と、自立分電盤８０とを備える
　そして、願書に添付した図面の【図１】には、連携アダプタ１０が備えられている分電盤３０と自立分電盤８０とを備える分電盤システムが示されている。
　また、分電盤が「連携アダプタ」を備えることは、訂正前の請求項１に記載されており、「連携アダプタ」の「処理部」における処理内容については、上記「（１）イ」で述べたとおり、願書に添付した明細書の段落【００９４】、【０１１３】、【０１４５】に記載されているといえる。
　よって、訂正事項１０は、願書に添付した明細書及び特許請求の範囲に記載した事項の範囲内のものであり、特許法第１２０条の５第９項で準用する特許法第１２６条第５項の規定に適合するといえる。
ウ　実質上特許請求の範囲を拡張し、又は変更する訂正ではないこと
　訂正事項１０は、訂正前の請求項１８に係る発明を減縮するものであり、カテゴリーや対象、目的を変更するものではないから、実質上特許請求の範囲を拡張し、又は変更するものには該当しない。
　よって、訂正事項１０は、特許法第１２０条の５第９項で準用する特許法第１２６条第６項の規定に適合するといえる。
（５）訂正事項１１について
ア　訂正の目的
　訂正事項１１は、訂正事項１０による特許請求の範囲の訂正に伴い、対応する明細書の記載の整合を図るためにする訂正であり、特許法第１２０条の５第２項ただし書第３号に規定する「明瞭でない記載の釈明」を目的とするものといえる。
イ　願書に添付した明細書、特許請求の範囲又は図面に記載した事項の範囲内であること及び実質上特許請求の範囲を拡張し、又は変更する訂正ではないこと
　訂正事項１１は、訂正事項１０と同じ内容のものであるので、訂正事項１０と同様に、願書に添付した明細書、特許請求の範囲又は図面に記載した事項の範囲内であり、実質上特許請求の範囲を拡張し、又は変更する訂正ではないので、特許法第１２０条の５第９項で準用する特許法第１２６条第５項、第６項の規定に適合するといえる。
（６）特許出願の際に独立して特許を受けることができること
　訂正前の請求項１〜４、７、９、１５、１７〜２２に対して特許異議申立人から特許異議の申立てがされているので、「特許請求の範囲の減縮」を目的として請求項１及び請求項１の記載を引用する請求項２〜４、７、９、１５、１７を訂正する訂正事項１、並びに、請求項１８及び請求項１８の記載を引用する請求項１９〜２２を訂正する訂正事項１０に関して、特許法第１２０条の５第９項で読み替えて準用する特許法第１２６条第７項の要件は課されない。
　また、請求項５、６、８、１０〜１４、１６については、「請求項間の引用関係の解消」を目的とする訂正（訂正事項２〜８）のみがされたので、特許法第１２０条の５第９項で読み替えて準用する特許法第１２６条第７項の要件は課されない。
（７）一群の請求項
　訂正前の請求項１〜１７について、訂正前の請求項２〜１７は訂正前の請求項１を直接または間接的に引用するものであり、訂正事項１によって記載が訂正される請求項１に連動して訂正されるものである。
　したがって、請求項１〜１７は、一群の請求項である。
　また、訂正前の請求項１８〜２２について、訂正前の請求項１９〜２２は訂正前の請求項１８を直接または間接的に引用するものであり、訂正事項１０によって記載が訂正される請求項１８に連動して訂正されるものである。
　したがって、請求項１８〜２２は、一群の請求項である。
　よって、訂正事項１〜９及び訂正事項１０〜１１は、一群の請求項ごとに請求されたものであり、特許法第１２０条の５第４項の規定に適合する。
（４）小括
　以上のとおりであるので、訂正事項１〜１１は、特許法第１２０条の５第２項ただし書第１号、第３号及び第４号に掲げる事項を目的とするものであり、かつ、同条第９項において準用する同法第１２６条第５項及び第６項の規定に適合するので、訂正後の請求項〔１〜１７〕、〔１８〜２２〕について訂正を認める。
　なお、特許権者は、訂正事項２〜８による訂正後の請求項５〜１２、１５〜１７についての訂正が認められる場合には、請求項５〜１２、１５〜１７は、一群の請求項の他の請求項とは別途訂正することを求めているが（訂正請求書の３７頁末行〜３８頁１０行）、訂正後の請求項１７は、依然として請求項１〜１６のいずれか１項の記載を引用するものであり、訂正後も請求項１〜１７は一群の請求項となるので、請求人の求めを認めることはできない。
第３　特許異議の申立てについて
１．本件発明
　本件訂正により訂正された請求項１〜２２に係る発明（以下、「本件発明１〜２２」という。）は、訂正請求書に添付した訂正特許請求の範囲の請求項１〜２２に記載された事項により特定される次のとおりのものであるところ、本件発明１〜４、７、９、１５、１７〜２２は次のとおりのものである。
「【請求項１】
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　　前記電力系統から受電する電力に関する情報と、
　　前記複数の分岐ブレーカをそれぞれ通過する電力に関する情報と、
　　前記第２の開閉器を通過する電力に関する情報と
　の少なくとも一つを含み、
　前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になる
　分電盤。
【請求項２】
　前記入力情報は、少なくとも、前記電力系統から受電する電力に関する情報と、前記複数の分岐ブレーカをそれぞれ通過する電力に関する情報とを含む
　請求項１記載の分電盤。
【請求項３】
　前記複数の負荷回路の電力をそれぞれ計測するよう構成される複数のセンサが設けられた計測ユニットをさらに備え、
　前記連携アダプタは、前記複数の分岐ブレーカをそれぞれ通過する電力に関する情報と、前記第２の開閉器を通過する電力に関する情報とを、前記計測ユニットから取得するよう構成される
　請求項１または２記載の分電盤。
【請求項４】
　前記連携アダプタは、前記他装置と通信するよう構成される通信インターフェイス部を備え、
　前記通信インターフェイス部は、
　　公衆網を通して通信する通信機器に前記出力情報を送出することと、
　　利用者に情報を提示する提示機器に前記出力情報を送出することと、
　　前記分電盤が取り付けられた所定場所に設置される設備機器を管理するコントローラに前記出力情報を送出することと
　のうちの少なくとも一つを行うよう構成される
　請求項１〜３のいずれか１項に記載の分電盤。
【請求項７】
　前記連携アダプタは、前記通信インターフェイス部が取り替え可能に装着される
　請求項４〜６のいずれか１項に記載の分電盤。
【請求項９】
　前記処理部は、前記入力情報から前記出力情報を生成するためのプログラムを実行するプロセッサを備え、前記通信インターフェイス部を通して前記プログラムを取得するよう構成される
　請求項４〜８のいずれか１項に記載の分電盤。
【請求項１５】
　前記処理部は、
　　前記分電盤が取り付けられた所定場所に供給される電力以外の資源の使用量を計測する計測装置から前記資源の使用に関する情報を取得し、
　　前記取得した資源の使用に関する情報を前記入力情報に加えるよう構成される
　請求項１〜１４のいずれか１項に記載の分電盤。
【請求項１７】
　前記第２の取付スペースは、前記分岐ブレーカを取りつけるためのスペースの一部であって、前記分岐ブレーカの１乃至複数個分に相当する寸法を有する
　請求項１〜１６のいずれか１項に記載の分電盤。
【請求項１８】
　系統電源からの電力供給が停止している状態で電力の出力が可能である第２の分散型電源が接続された分電盤と、
　前記系統電源からの電力供給が停止している状態で電力供給が必要である機器が接続された第２の分岐ブレーカを備える自立分電盤と
　を備え、
　前記分電盤は、
　　電力系統の電源線と電気的に接続される主幹ブレーカと、
　　前記主幹ブレーカの負荷側の電路を複数の負荷回路に分岐する複数の分岐ブレーカと、
　　発電した電力を前記電力系統へ逆潮流させる第１の分散型電源と前記主幹ブレーカの電源側との間に接続される第１の開閉器が配置される、第１の取付スペースと、
　　発電した電力を前記電力系統へ逆潮流させない前記第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　　前記電力系統から受電する電力に関する情報と、
　　前記複数の分岐ブレーカをそれぞれ通過する電力に関する情報と、
　　前記第２の開閉器を通過する電力に関する情報と
　の少なくとも一つを含み、
　前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になり、
　前記自立分電盤は、前記系統電源から電力が供給されている期間には前記主幹ブレーカを通して給電され、前記系統電源からの電力供給が停止している期間には前記第２の分散型電源から給電される
　分電盤システム。
【請求項１９】
　前記自立分電盤は、前記分電盤と前記第２の分散型電源とのいずれかから受電し、受電した電力を前記第２の分岐ブレーカに給電する第３の開閉器を備える
　請求項１８記載の分電盤システム。
【請求項２０】
　前記第３の開閉器が受電する経路に、前記系統電源から電力が供給されている期間に前記主幹ブレーカを通して受電する状態を選択し、前記系統電源からの電力供給が停止している期間に前記第２の分散型電源から受電する状態を選択する切替器をさらに備える
　請求項１９記載の分電盤システム。
【請求項２１】
　前記第３の開閉器と前記切替器とが前記自立分電盤に設けられている
　請求項２０記載の分電盤システム。
【請求項２２】
　請求項１８〜２１のいずれか１項に記載の分電盤システムに用いられる自立分電盤。」
２．取消理由の概要
　訂正前の請求項１〜４、７、９、１５、１７〜２２に係る特許に対して平成３０年１月２６日付けで特許権者に通知した取消理由の要旨は、次のとおりである。
［取消理由１］本件特許の請求項１、４に係る発明は、本件特許の出願前日本国内または外国において頒布された下記の刊行物に記載された発明又は電気通信回線を通じて公衆に利用可能となった発明であるから、特許法第２９条第１項第３号に該当し、特許を受けることができないから、その発明に係る特許は取り消すべきものである。
［取消理由２］本件特許の請求項２、３、７、９、１５、１７〜２２に係る発明は、本件特許の出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであって、特許法第２９条第２項の規定により特許を受けることができないから、その発明に係る特許は取り消すべきものである。
　　　　　　　　　　　　　　　　　記
　引用文献１：特開２００４−３２８８５６号公報
　引用文献２：日東工業株式会社の住宅盤用エネルギー監視装置取扱説明書、２０１２年１月発行
　引用文献３：日東工業株式会社のＨＥＭＳ対応ホーム分電盤のパンフレット、平成２３年（２０１１年）５月発行
　引用文献４：河村電器産業株式会社のエネルギー監視システムｅｎサーバーのパンフレット、２０１１年８月
　引用文献５：特開２００１−１０３６２２号公報
　引用文献６：特開２００７−１２９８９１号公報
　引用文献７：特開２００８−１３６２８０号公報
　引用文献８：特開２０１１−１５０６６２号公報
　引用文献９：特開２０１１−２３４５６１号公報
　引用文献１０：東芝：プレスリリース：定置式家庭用蓄電システム「エネグーン」の発売　２０１２年９月１０日
　引用文献１１：ＮＥＣ：家庭用蓄電システムのカタログ、２０１２年９月
　引用文献１２：特開２００７−３００７０３号公報
　なお、引用文献１〜１１は、それぞれ、特許異議申立書の甲第１〜１１号証である。
３．引用文献
（１）引用文献１に記載された事項及び引用発明
　引用文献１には、図面とともに次の事項が記載されている。
ア
「【請求項１】
商用電源に接続される主幹ブレーカと、その二次側の分岐部に接続された分岐ブレーカと、商用電源側に電力を逆潮流可能な分散電源が接続される分散電源用第１ブレーカと、商用電源側に電力を逆潮流できない分散電源が接続される分散電源用第２ブレーカとを備え、分散電源用第１ブレーカを主幹ブレーカの一次側に接続し、分散電源用第２ブレーカを主幹ブレーカの二次側の主幹バーの端部に設けられた送り端子に接続するとともに、分散電源用第１ブレーカの接続点と分岐部との間に、第１電流センサーを接続したことを特徴とする分電盤システム。
【請求項２】
分散電源用第１ブレーカをキャビネット内の電流制限器と主幹ブレーカとの間に配置し、分散電源用第２ブレーカを分岐部よりも端部側に配置し、同一キャビネット内に搭載したことを特徴とする請求項１記載の分電盤システム。
【請求項３】
分散電源用第１ブレーカの一次側と主幹ブレーカの一次側との間に第２電流センサーを接続するとともに、第１電流センサー及び第２電流センサーの計測値を表示部に出力する計測装置を組み込んだことを特徴とする請求項１記載の分電盤システム。」
イ
「【０００９】
【発明の実施の形態】
以下に本発明の好ましい実施形態を示す。
図１において、１は主幹ブレーカであり、従来と同様に電流制限器２を介して商用電源に接続されている。３は主幹ブレーカ１の二次側に接続された主幹バーであり、この主幹バー３には複数の分岐ブレーカ４が接続されて分岐部５を構成している。住宅の各負荷はこれらの分岐ブレーカ４に接続されている。
【００１０】
この分電盤の同一キャビネット内には上記した主幹ブレーカ１のほかに、分散電源用第１ブレーカ６と分散電源用第２ブレーカ７とが搭載されている。分散電源用第１ブレーカ６は、商用電源側に電力を逆潮流可能な太陽光発電システムなどの分散電源８が接続されるものである。また分散電源用第２ブレーカ７は、商用電源側に電力を逆潮流できないガス発電システムなどの分散電源９が接続されるものである。
【００１１】
商用電源側に電力を逆潮流可能な分散電源８が接続される分散電源用第１ブレーカ６は、主幹ブレーカ１の一次側に接続される。図示のように、この分散電源用第１ブレーカ６の一次側と主幹ブレーカ１の一次側との間には第２電流センサー１０を接続し、分散電源８から供給される電流を計測できるようにする。
【００１２】
また商用電源側に電力を逆潮流できない分散電源９が接続される分散電源用第２ブレーカ７は、主幹ブレーカ１の二次側の主幹バー３の端部に設けられた送り端子１１に接続されている。そしてこの分散電源用第１ブレーカ６の接続点１２と前記分岐部５との間に、分散電源９からの逆潮流を検出するとともに、主幹バー３から分岐部５に流れる電流を検出するための第１電流センサー１３が接続されている。この実施形態では第１電流センサー１３は主幹ブレーカ１と分岐部５との間に接続されているが、図２に示すように第１電流センサー１３の位置は主幹バー３の一次側としてもよい。
・・・
【００１４】
第２電流センサー１０及び第１電流センサー１３の検出値はキャビネット内に組み込まれた計測装置１４に入力され、分散電源８、分散電源９の発電量と、負荷の使用電流とが計測される。そして計測装置１４は表示部１５にこれらの計測値を出力し、リアルタイムで表示させる。なお表示部１５として住宅情報盤を用いれば、専用の表示部を設置する必要がない。住宅情報盤としては例えばインターホンの室内器と組み合わされたものが好ましい。またこの実施形態では主幹ブレーカ１、電流制限器２、分散電源用第１ブレーカ６、分散電源用第２ブレーカ７を同一キャビネット内に搭載したが、分電盤キャビネットの大きさに応じて、分散電源用第１ブレーカ６、分散電源用第２ブレーカ７を別のキャビネットに搭載してもよい。」
　引用文献１には、上記ア、イ及び【図１】の記載からみて、次の発明（以下「引用発明」という。）が記載されていると認められる。
〔引用発明〕
「商用電源に接続される主幹ブレーカ１と、
　その二次側の分岐部５に接続された分岐ブレーカ４と、
　商用電源側に電力を逆潮流可能な分散電源８が接続される分散電源用第１ブレーカ６と、商用電源側に電力を逆潮流できない分散電源９が接続される分散電源用第２ブレーカ７とを備え、
　分散電源用第１ブレーカ６を主幹ブレーカ１の一次側に接続し、分散電源用第２ブレーカ７を主幹ブレーカ１の二次側の主幹バー３の端部に設けられた送り端子１１に接続し、
　分散電源用第１ブレーカ６をキャビネット内の電流制限器２と主幹ブレーカ１との間に配置し、分散電源用第２ブレーカ７を分岐部５よりも端部側に配置し、同一キャビネット内に搭載し、
　分散電源用第１ブレーカ６の接続点と分岐部５との間に、主幹バー３から分岐部５に流れる電流を検出するための第１電流センサー１３を接続し、
　分散電源用第１ブレーカ６の一次側と主幹ブレーカ１の一次側との間に、分散電源８から供給される電流を計測する第２電流センサー１０を接続し、
　第１電流センサー１３及び第２電流センサー１０の計測値を表示部１５に出力する計測装置１４を有した、
分電盤システム。」
（２）引用文献２に記載された事項
　引用文献２には、住宅盤用エネルギー監視装置が、電力以外に、ガスメータや水道の流量センサから情報を取得することが記載されていると認められる（５頁「■配線方法」の「＜配線例＞」を参照。）。
（３）引用文献３に記載された事項
　引用文献３には、「ＨＥＭＳ対応ホーム分電盤」が、「ガス・水道の使用量計測が可能。」であることが記載されている（見開き頁の右下方を参照。）。
（４）引用文献４に記載された事項
　引用文献４には、「エネルギー監視システム　ｅｎサーバー」が、「電気以外のエネルギー消費量もすぐ分かる！　トータル表示画面を見るだけで全てのエネルギー消費量が簡単にチェックできます。」とするものであり、「エネルギー消費量」に「水道使用量」、「ガス使用量」が含まれていることが記載されている（見開き頁の左上方を参照。）。
（５）引用文献５に記載された事項
　引用文献５には、図面とともに次の事項が記載されている。
ア
「【０００１】
【発明の属する技術分野】本発明は、太陽電池，燃料電池などの住宅用補助電源が併設された住宅において、分岐ブレーカに接続されている家電機器等で消費される電力や、補助電源からの発電電力などを計測し、家全体の電気エネルギの使用状況を確実に把握することが出来る宅内電気エネルギ計測システムに関するものである。」
イ
「【００１５】分電盤１の左方の分電盤本体４内部には、主幹回路を開閉する主幹ブレーカ５が設けられており、右方の分電盤本体３内部には、補助電源供給回路を開閉する補助ブレーカ６が設けられている。また、主幹ブレーカ５と補助ブレーカ６との間に挟まれた分電盤本体４内部には、・・・複数の分岐ブレーカ７が設けられている。・・・また、補助ブレーカ６の下方の分電盤本体４内部には、主幹回路の双方向電力，各分岐回路の消費電力および補助電源供給回路の発電電力を計測する電力計測部８が内蔵されている。」
ウ
「【００１７】・・・主幹ブレーカ５の２本の負荷電圧線Ｌ１，Ｌ２にはそれぞれ主幹変流器１２ａ，１２ｂが設けられており、これら主幹変流器１２ａ，１２ｂはそれぞれ負荷電圧線Ｌ１，Ｌ２に流れる電流を検出する。主幹変流器１２ａ，１２ｂの検出信号は、・・・電力計測部８の第１の計測部プリント板８ａに入力される。」
エ
「【００２５】電力計測部８は、マイクロコンピュータ等からなる演算器２１および・・・ＲＯＭ（リード・オンリ・メモリ）２２を主要な構成要素としている。・・・」
オ
「【００３８】また、計測部８内の通信部２９は上述したようにケーブル９２を介して宅内表示器３８に接続されている。宅内表示器３８は分電盤１が設置された家屋内に設けられており、通信部２９から受信した電力値を可視表示する。また、この宅内表示器３８は、ケーブル９４を介してパーソナルコンピュータ（パソコン）３９といった外部機器が接続されている。」
（６）引用文献６に記載された事項
　引用文献６には、図面とともに次の事項が記載されている。
ア
「【請求項２２】
前記直流系機器ユニットの両端方向の寸法を分岐ブレーカからなる電力系機器の両端方向の寸法と同一とするとともに、前記直流系機器ユニットの幅寸法を前記分岐ブレーカの幅寸法の整数倍の寸法としたことを特徴とする請求項１乃至請求項２１の何れかの１項に記載の住宅用分電盤。
【請求項２３】
前記電力系機器が、互いに分離される通信モジュールと、該通信モジュールへの動作電源を供給する電源モジュールとからなる電力線通信モジュールであって、前記通信モジュール及び前記電源モジュールの幅寸法を前記分岐ブレーカの幅寸法の整数倍としていることを特徴とする請求項１乃至１０の何れかの１項に記載の住宅用分電盤。」
イ
「【００５１】
　請求項２３の発明によれば、通信モジュールを交換するだけ機能変更が容易に行え、・・・」
ウ
「【００９９】
　また電力線通信モジュール３００は、図１１に示すように電源部３０７を内蔵したモジュール３００Ａと、電源部３０７以外の回路部を備えたモデムモジュール３００Ｂとに分割した構造としても良い。・・・」
（７）引用文献７に記載された事項
　引用文献７には、図面とともに次の事項が記載されている。
ア
「【００１７】
（第１の実施形態）
　本発明の第１の実施形態に係る分電盤について図面を参照して説明する。・・・分電盤１は、外部の電源から受電し、主幹回路にある主幹ブレーカ２と、この主幹回路から分岐した複数の分岐回路にある分岐ブレーカ３と、分岐回路に流れる分岐電流を検出する電流センサユニット４と、電流センサユニット４が検出したデータに基いて、表示する表示ユニット６と、電流センサユニット４と表示ユニット６に直流電源を供給する電源ユニット５と、分岐ブレーカ３等を保持するベース台７とを備えている。」
イ
「【００２４】
　次に、電流センサユニット４について説明する。・・・
【００２５】
　電流センサ４０は、第１の挿通孔４２ａの周辺部に、挿通孔４２ａを囲むように形成されたトロイダルコイルと巻き戻しコイルとを有するロゴスキー型の空芯コイル４５であり、プリント基板４１の面と裏面とに設けられた金属箔パターン４３と、プリント基板４１を貫通して金属箔パターン４３を接続するスルーホール４４等から構成されている。・・・」
（８）引用文献８に記載された事項
　引用文献８には、図面とともに次の事項が記載されている。
「【０２１７】
　ステップＳ２１２に処理を進めた場合、システム管理部１１２５は、第１番目にアップデートする電力管理装置１１を協調動作から切り離し、アップデートを実行する（Ｓ２１２）。このとき、協調動作から切り離された電力管理装置１１のシステム管理部１１２５は、システム管理サーバ３３から最新のファームウェアを取得し、古いファームウェアを最新のファームウェアに更新する。ファームウェアの更新が完了した後、協調動作している残りの電力管理装置１１は、アップデートが完了した電力管理装置１１の動作を確認する（Ｓ２１３、Ｓ２１４）。」
（９）引用文献９に記載された事項
　引用文献９には、図面とともに次の事項が記載されている。
ア
「【００２７】
　この停電対策システム２は、・・・家屋４の内部に既存の住宅用分電盤６を備え、家屋４の外壁に拡張分電盤８を備えている。・・・
・・・
【００２９】
　拡張分電盤８は、電力系統１０の停電時、ＨＥＶ１６の接続に基づき、蓄電池１８の放電による電力を充放電コンセント１４から受電し、負荷１２のうち特定負荷１２Ｂに給電する。・・・特定負荷１２Ｂには、電灯、冷蔵庫、エアコン等、停電を回避したい負荷が含まれる。」
イ
「【００３４】
　また、停電時には、拡張分電盤８に対する電力系統１０からの給電が停止されるので、その停電を通信部２０から通知し、この通知により通信部２２はＨＥＶ１６のＥＣＵ２４に停電を通知する。ＥＣＵ２４はコンバータ２６を動作させ、蓄電池１８を放電状態に切り替える。蓄電池１８の放電はコンバータ２６によって交流出力に変換され、この放流出力は充放電プラグ３２及び充放電コンセント１４を介して拡張分電盤８に供給される。蓄電池１８の放電により、負荷１２の特定負荷１２Ｂに対する給電が開始される。停電時の不都合が解消される。
【００３５】
　そして、電力系統１０の復旧時には、負荷１２の一般負荷１２Ａには電力系統１０からの給電が開始され、通信部２０からの復旧通知によりＨＥＶ１６からの給電が解除される。このとき、ＨＥＶ１６の蓄電池１８は充電が開始される。」
ウ
「【００４１】
　拡張分電盤８は、インテリジェント分電盤又は分電盤装置の一例であって、第１の開閉手段として電磁開閉器４２、第２の開閉手段として電磁開閉器４４と、停電検出部５４と、通信部２０と、手動復帰ボタン４６とを備えている。電磁開閉器４２は給電系統１０側に接続される給電部（第１の給電部）に設置された第１の開閉手段の一例であって、電力系統１０の停電時（系統遮断時）にＯＦＦ状態となるが、瞬停時には例えば、１〜４〔秒〕の保持機能を備える。
【００４２】
　電磁開閉器４４は第２の開閉手段の一例であって、分散型負荷からの給電を受ける給電部及び特定負荷１２Ｂへの給電部に設置されている。この電磁開閉器４４は、電力系統１０の停電時（系統遮断時）にＯＮ状態に切り替えられ、分散型電源から特定負荷１２Ｂに給電する手段である。」
（１０）引用文献１０に記載された事項
　引用文献１０には、「定置式家庭用蓄電システム「エネグーン」の発売について」に関して、「５．急な停電でも貯めた電器を使用でき安心　停電になると停電を検知し、蓄電システムが自動的に電気を供給します。」（２頁下方を参照。）と記載されている。
（１１）引用文献１１に記載された事項
　引用文献１１には、「家庭用蓄電システム」に関して、「停電時は　もしもの時も、非常用電源として活用できるから安心です。」（見開き頁の右下方を参照。）と記載されている。
（１２）引用文献１２に記載された事項
　引用文献１２には、図面とともに次の事項が記載されている。
「【０００８】
　太陽光発電、ガス発電、燃料電池等の分散型電源がある場合、分散型電源用ブレーカ５を分電盤１に搭載する。このとき用いる分散型電源用ブレーカ５はプラグインタイプのもので、また、分岐ブレーカ４のサイズに合わせたものである。図２のように電気機器を配列した分電盤１の、分岐ブレーカ４の分散型電源用ブレーカ５の相当寸法分を外し分散型電源用ブレーカ４を取り付ける。
【０００９】
　従来は分散型電源用ブレーカを搭載するために分電盤を構成するキャビネットを大きいものにして、元の主幹ブレーカと分岐ブレーカの配列とは別に、分散型電源用ブレーカを配置していたが、本発明においては、分散型電源用ブレーカ４を分岐ブレーカ４の配列に組み込むことを特徴とする。」
４．判断
（１）本件発明１について
　本件発明１と引用発明とを対比する。
　後者の「商用電源に接続される主幹ブレーカ１」は、前者の「電力系統の電源線と電気的に接続される主幹ブレーカ」に相当する。
　後者の主幹ブレーカ１の「二次側の分岐部５に接続された分岐ブレーカ４」は、前者の「主幹ブレーカの負荷側の電路を複数の負荷回路に分岐する複数の分岐ブレーカ」に相当する。
　後者の「商用電源側に電力を逆潮流可能な分散電源８」は、前者の「発電した電力を電力系統へ逆潮流させる第１の分散型電源」に相当し、後者の「商用電源側に電力を逆潮流できない分散電源９」は、前者の「発電した電力を前記電力系統へ逆潮流させない第２の分散型電源」に相当する。
　後者の「分散電源８が接続される分散電源用第１ブレーカ６」は、「主幹ブレーカ１の一次側に接続」されるものであるので、前者の「第１の分散型電源と主幹ブレーカの電源側との間に接続される第１の開閉器」に相当する。
　後者の「分散電源９が接続される分散電源用第２ブレーカ７」は、「主幹ブレーカ１の二次側の主幹バー３の端部に設けられた送り端子１１に接続」されるものであるので、前者の「第２の分散型電源と主幹ブレーカの負荷側との間に接続される第２の開閉器」に相当する。
　後者の分散電源用第１ブレーカ６が配置される「キャビネット内の電流制限器２と主幹ブレーカ１との間」は、前者の「第１の開閉器が配置される、第１の取付スペース」に相当する。
　後者の分散電源用第２ブレーカ７が配置される「分岐部５よりも端部側」は、前者の「第２の開閉器が配置される、第２の取付スペース」に相当する。
　後者の「分散電源用第１ブレーカ６の接続点と分岐部５との間」の「第１電流センサー１３」の「計測値」は、「主幹バー３から分岐部５に流れる電流を検出」したものであるので、前者の「複数の分岐ブレーカをそれぞれ通過する電力に関する情報」に相当する。また、後者の「分散電源用第１ブレーカ６の一次側と主幹ブレーカ１の一次側との間」の「第２電流センサー１０」の「計測値」は、「分散電源８から供給される電流を計測」したものであるので、前者の「第１の開閉器を通過する電力に関する情報」に相当する。そうすると、後者の「第１電流センサー１３及び第２電流センサー１０の計測値」は、前者の「電力系統から受電する電力に関する情報と、複数の分岐ブレーカをそれぞれ通過する電力に関する情報と、第２の開閉器を通過する電力に関する情報との少なくとも一つを含み、」「第１の開閉器を通過する電力に関する情報を更に含む入力情報」に相当する。
　後者の「表示部１５」は、前者の「他装置」に相当する。
　後者の「計測装置１４」は、「第１電流センサー１３及び第２電流センサー１０の計測値を表示部１５に出力する」ものであり、計測値を表示部１５で表示できるように処理するものといえるので、その機能からみて、前者の「入力情報に基づいて他装置に出力する出力情報を生成するよう構成される処理部を備え」た「連携アダプタ」に相当する。そして、後者の「計測装置１４」において、「第１電流センサー１３及び第２電流センサー１０の計測値」を表示部１５で表示できるように処理する部分は、前者の「第１の分散型電源が第１の取付スペースに配置された第１の開閉器に接続されると、第１の開閉器を通過する電力に関する情報を処理するためのプログラムとデータとを読み込むことで、第１の開閉器を通過する電力に関する情報を更に含む入力情報に基づいて出力情報を生成する処理が可能になる」「処理部」と、「第１の開閉器を通過する電力に関する情報を更に含む入力情報に基づいて出力情報を生成する処理が可能になる」「処理部」である限りにおいて一致する。
　後者の「分電盤システム」は、前者の「分電盤」に相当する。
　そうすると、両者は、
「電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　　前記電力系統から受電する電力に関する情報と、
　　前記複数の分岐ブレーカをそれぞれ通過する電力に関する情報と、
　　前記第２の開閉器を通過する電力に関する情報と
　の少なくとも一つを含み、
　前記処理部は、前記第１の開閉器を通過する電力に関する情報を更に含む前記入力情報に基づいて前記出力情報を生成する処理が可能になる
　分電盤。」
である点で一致し、次の点で相違する。
〔相違点１〕
　本件発明１は、「処理部は、第１の分散型電源が第１の取付スペースに配置された第１の開閉器に接続されると、第１の開閉器を通過する電力に関する情報を処理するためのプログラムとデータとを読み込むことで、第１の開閉器を通過する電力に関する情報を更に含む入力情報に基づいて出力情報を生成する処理が可能になる」ものであるのに対して、引用発明は、第１電流センサー１３及び第２電流センサー１０の計測値を表示部１５に出力する計測装置１４が、情報を処理するプログラムとデータとを読み込むとは特定されていない点。
　上記相違点１について検討する。
　引用文献２〜７、９〜１２には、分電盤の処理部が情報処理用のプログラムとデータとを読み込むことについて何ら記載されていない（上記「３．（２）〜（７）、（９）〜（１１）」を参照）。
　また、引用文献８には、「協調動作から切り離された電力管理装置１１のシステム管理部１１２５は、システム管理サーバ３３から最新のファームウェアを取得し、古いファームウェアを最新のファームウェアに更新する。」（上記「３．（８）」を参照）ことは記載されているものの、情報処理部が、分散型電源が接続されるとプログラムとデータとを読み込み、分散型電源の電力に関する情報処理を可能となることは、記載も示唆もされていない。
　また、他に相違点１に係る本件発明１の構成が周知であるとする証拠もない。
　したがって、引用発明において相違点１に係る本件発明１の構成を設けることは、当業者が容易に想到し得ることとはいえない。
　よって、本件発明１は、引用文献１に記載された発明（引用発明１）とはいえず、引用発明及び引用文献２〜１２に記載された事項に基いて当業者が容易に発明をすることができたものともいえない。
（２）本件発明２〜４、７、９、１５、１７について
　本件発明２〜４、７、９、１５、１７は、本件発明１のすべての事項を含みさらに限定を付加するものであるから、上記「（１）」の本件発明１についての判断と同様の理由により、本件発明４は、引用文献１に記載された発明（引用発明１）とはいえず、本件発明２〜４、７、９、１５、１７は、引用発明及び引用文献２〜１２に記載された事項に基いて当業者が容易に発明をすることができたものとはいえない。
（３）本件発明１８について
　本件発明１８は、本件発明１の「分電盤」を備え、さらに、「系統電源からの電力供給が停止している状態で電力の出力が可能である第２の分散型電源が接続された分電盤」、「前記系統電源からの電力供給が停止している状態で電力供給が必要である機器が接続された第２の分岐ブレーカを備える自立分電盤」、「前記自立分電盤は、前記系統電源から電力が供給されている期間には前記主幹ブレーカを通して給電され、前記系統電源からの電力供給が停止している期間には前記第２の分散型電源から給電される」との事項を付加した「分電盤システム」である。
　そうすると、本件発明１８と引用発明とを対比すると、両者は、少なくとも上記「（１）」で述べた「相違点１」で相違する。
　そして、相違点１については、上記「（１）」で述べたとおり、引用文献２〜１２に記載された事項から容易に想到し得るとはいえないし、周知の事項ともいえない。
　よって、本件発明１８は、引用発明及び引用文献２〜１２に記載された事項に基いて当業者が容易に発明をすることができたものとはいえない。
（４）本件発明１９〜２２について
　本件発明１９〜２２は、本件発明１８のすべての事項を含みさらに限定を付加するものであるから、上記「（３）」の本件発明１８についての判断と同様の理由により、引用発明及び引用文献２〜１２に記載された事項に基いて当業者が容易に発明をすることができたものとはいえない。
（５）特許異議申立人の主張について
ア
　特許異議申立人は、特許異議申立書において、本件発明１、２、４は、甲第２号証（引用文献２）に記載された発明であり、本件発明３、７、９、１５、１７〜２２は、甲第２号証（引用文献２）に記載された発明に基づいて当業者が容易に想到し得る旨主張している。
　しかしながら、特許異議申立人が引用文献２から読み取れるとして認定する発明は、引用文献１に記載された発明（引用発明）と同等のものであり、結局、上記「（１）」で述べた「相違点１」に係る構成を有するものではない。そして、相違点１については、上記「（１）」で検討したとおりである。
イ
　特許異議申立人は、平成３０年５月１７日付けの意見書において、訂正後の請求項１０に係る発明には特許性がなく、その特許は取り消されるべきである旨主張している。
　しかしながら、訂正事項５による訂正後の請求項１０に係る発明は、訂正前の請求項１を引用する請求項１０に係る発明であり（上記「第２」の「２．（２）」を参照）、訂正前の請求項１０は特許異議申立の対象外であるので、特許異議申立人の上記主張は新たな取消理由であり、採用できない。
５．むすび
　以上のとおりであるから、取消理由通知に記載した取消理由及び特許異議申立書に記載した特許異議申立理由によっては、本件請求項１〜４、７、９、１５、１７〜２２に係る特許を取り消すことはできない。
　また、他に本件請求項１〜４、７、９、１５、１７〜２２に係る特許を取り消すべき理由を発見しない。
　よって、結論のとおり決定する。
【異議決定日】
平成３０年６月１日（２０１８．６．１）
【訂正の要旨】
審決（決定）の【理由】欄参照。
（５４）【発明の名称】
分電盤、分電盤システム、自立分電盤
　【技術分野】
　【０００１】
　本発明は、分散型電源が接続される分電盤、この分電盤を備える分電盤システム、分電盤システムに用いられる自立分電盤に関する。
　【背景技術】
　【０００２】
　近年、太陽光発電装置、燃料電池、蓄電装置、蓄電池を搭載した電動車両のように、需要家において電力を得る分散型電源が種々製品化されている。しかし、たとえば日本国では、太陽光発電装置などは電力系統への逆潮流が許容されているが、燃料電池、蓄電装置、電動車両などは電力系統への逆潮流が禁止されている。
　【０００３】
　そのため、逆潮流が許容されている分散型電源（発電した電力を逆潮流させる分散型電源）と、逆潮流が禁止されている分散型電源（発電した電力を逆潮流させない分散型電源）とを選択して負荷に給電する構成が広く採用されている（たとえば日本国特許出願公開番号２０１３−１３１７４号参照；以下、文献１と称する）。文献１に記載された構成では、太陽光発電装置が分電盤に接続され、太陽光発電装置が発電した余剰電力は、電力系統に逆潮流を行うことが可能になっている。また、蓄電装置は、太陽光発電装置が発電した電力により充電され、需要家の一部の負荷に対しては、分電盤からの電力と蓄電装置からの電力とを選択して供給することが可能になっている。
　【０００４】
　しかし、文献１に記載された構成では、太陽光発電装置（日本国で逆潮流が許容された分散型電源）は分電盤に接続されているが、蓄電装置（日本国で逆潮流が禁止されている分散型電源）は分電盤には接続されておらず、分散型電源を集中して管理することができないという問題を有している。
　【０００５】
　ところで、複数種類の分散型電源を組み合わせて用いると、電力系統への電圧や周波数の影響を低減することや、需要家が電力系統から購入する電力を低減することが可能になるという効果が得られる。しかしながら、分散型電源は、比較的高価であることから、複数種類の分散型電源を需要家が一度に導入するには初期投資が膨大になり、需要家の負担が大きい。そこで、異なる種類の分散型電源を需要家に順に導入させることが考えられる。しかし、この場合、新たな分散型電源が導入されるたびに、需要家における配電網に分散型電源を接続するための工事が必要になるから、需要家にとっては分散型電源の購入費に加えて、工事費の負担が大きくなるという問題がある。
　【発明の概要】
　【０００６】
　本発明は、需要家が複数種類の分散型電源を順に導入する場合でも分散型電源を接続するだけで配電網に対する新たな工事を行う必要がなく、しかも、複数の分散型電源の管理を１箇所で集中して行うことを可能にした分電盤を提供することを目的とする。本発明はさらに、この分電盤を備える分電盤システム、および分電盤システムに用いられる自立分電盤を提供することを目的とする。
　【０００７】
　本発明に係る
一態様の
を備え、
、第１の取付スペースと、
、第２の取付スペースと、
とを備
、
と、前
み、前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になる
　本発明に係る一態様の分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、前記通信インターフェイス部は、さらに、前記所定場所に設置される設備機器と通信するよう構成され、前記処理部は、前記設備機器の制御と監視との少なくとも一方を行うよう構成される。
　本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取位スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、前記通信インターフェイス部は、さらに、通信機能を有した電力量計と通信するよう構成され、前記処理部は、前記電力量計から取得した情報を前記入力情報に加えるよう構成される。
　本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記他装置と通信するよう構成される通信インターフェイス部を備え、前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも一つを行うよう構成され、前記通信インターフェイス部は、前記コントローラと通信するよう構成され、前記処理部は、前記コントローラから前記設備機器に関する情報を取得し、前記コントローラから取得した前記設備機器に関する情報を前記入力情報に加え、前記入力情報に基づいて前記設備機器を管理する情報を生成し、生成した情報を前記出力情報として前記コントローラに引き渡すよう構成される。
　本発明に係る一態様の分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、記憶媒体が着脱可能に装着される接続部をさらに備え、前記処理部は、前記入力情報から前記出力情報を生成するためのプログラムを実行するプロセッサを備え、前記記憶媒体から前記プログラムを取得するよう構成される。
　本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記電力系統の電源線が接続される第１の端子部と、前記第１の端子部と電気的に接続され、かつ前記主幹ブレーカが電気的に接続される第２の端子部とを備える。
　本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記電力系統の電源線が接続される第１の端子部と、前記第１の端子部と電気的に接続され、かつ前記主幹ブレーカが電気的に接続される第２の端子部と、前記第１の端子部および前記第２の端子部と電気的に接続され、かつ前記第１の開閉器が電気的に接続される第３の端子部とを備える。
　本発明の一態様に係る分電盤は、電力系統の電源線と電気的に接続される主幹ブレーカと、前記主幹ブレーカの負荷側の電路を複数の負荷回路に分岐する複数の分岐ブレーカとを備え、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない第２の分散型電源と前記主幹ブレーカの負荷側との間に接続される第２の開閉器が配置される、第２の取付スペースと、連携アダプタとを備え、前記連携アダプタは、入力情報に基づいて他装置に出力する出力情報を生成するよう構成される処理部を備え、前記入力情報は、前記電力系統から受電する電力に関する情報と、前記複数の分岐ブレーカをそれぞれ通過する電力に関する情報と、前記第１の開閉器を通過する電力に関する情報と、前記第２の開閉器を通過する電力に関する情報との少なくとも一つを含み、前記連携アダプタは、前記処理部を収納し、且つ前記分電盤に取り付けられる器体をさらに備え、前記第１の取付スペースが前記器体に設けられている。
　【０００９】
　一実施形態において、前記入力情報は、少なくとも前記電力系統から受電する電力に関する情報と、前記複数の分岐ブレーカをそれぞれ通過する電力に関する情報とを含む。
　【００１０】
　一実施形態において、分電盤は、前記複数の負荷回路の電力をそれぞれ計測するよう構成される複数のセンサが設けられた計測ユニットをさらに備える。前記連携アダプタは、前記複数の分岐ブレーカをそれぞれ通過する電力に関する情報と、前記第２の開閉器を通過する電力に関する情報とを、前記計測ユニットから取得するよう構成される。
　【００１１】
　一実施形態において、前記連携アダプタは、前記他装置と通信するよう構成される通信インターフェイス部を備える。前記通信インターフェイス部は、公衆網を通して通信する通信機器に前記出力情報を送出することと、利用者に情報を提示する提示機器に前記出力情報を送出することと、前記分電盤が取り付けられた所定場所に設置される設備機器を管理するコントローラに前記出力情報を送出することとのうちの少なくとも１つを行うよう構成される。
　【００１２】
　一実施形態において、前記通信インターフェイス部は、さらに、前記所定場所に設置される設備機器と通信するよう構成される。前記処理部は、前記設備機器の制御と監視との少なくとも一方を行うよう構成される。
　【００１３】
　一実施形態において、前記通信インターフェイス部は、さらに、通信機能を有した電力量計と通信するよう構成される。前記処理部は、前記電力量計から取得した情報を前記入力情報に加えるよう構成される。
　【００１４】
　一実施形態において、前記連携アダプタは、前記通信インターフェイス部が取り替え可能に装着される。
　【００１５】
　一実施形態において、前記通信インターフェイス部は、前記コントローラと通信するよう構成される。前記処理部は、前記コントローラから前記設備機器に関する情報を取得し、前記コントローラから取得した前記設備機器に関する情報を前記入力情報に加え、前記入力情報に基づいて前記設備機器を管理する情報を生成し、生成した情報を前記出力情報として前記コントローラに引き渡すよう構成される。
　【００１６】
　一実施形態において、前記処理部は、前記入力情報から前記出力情報を生成するためのプログラムを実行するプロセッサを備え、前記通信インターフェイス部を通して前記プログラムを取得するよう構成される。
　【００１７】
　一実施形態において、記憶媒体が着脱可能に装着される接続部をさらに備え、前記処理部は、前記入力情報から前記出力情報を生成するためのプログラムを実行するプロセッサを備え、前記記憶媒体から前記プログラムを取得するよう構成される。
　【００１８】
　一実施形態において、前記連携アダプタは、前記電力系統の電源線が接続される第１の端子部と、前記第１の端子部と電気的に接続され、かつ前記主幹ブレーカが電気的に接続される第２の端子部とを備える。
　【００１９】
　一実施形態において、前記連携アダプタは、前記電力系統の電源線が接続される第１の端子部と、前記第１の端子部と電気的に接続され、かつ前記主幹ブレーカが電気的に接続される第２の端子部と、前記第１の端子部および前記第２の端子部と電気的に接続され、かつ前記第１の開閉器が電気的に接続される第３の端子部とを備える。
　【００２０】
　一実施形態において、前記連携アダプタは、前記第１の開閉器を通過した電力を計測するよう構成される内蔵センサをさらに備える。前記処理部は、前記内蔵センサが計測した電力から、前記第１の開閉器を通過する電力に関する情報を求める。
　【００２１】
　一実施形態において、前記処理部は、前記入力情報に含まれる要素の関係を用いて、前記第１の分散型電源が発電した電力のうち前記電力系統に逆潮流を行った電力を算出し、算出結果を前記出力情報として前記他装置に出力する。
　【００２２】
　一実施形態において、前記処理部は、前記分電盤が取り付けられた所定場所に供給される電力以外の資源の使用量を計測する計測装置から前記資源の使用に関する情報を取得し、かつ前記取得した資源の使用に関する情報を前記入力情報に加えるよう構成される。
　【００２３】
　一実施形態において、前記連携アダプタは、前記処理部を収納し、且つ前記分電盤に取り付けられる器体をさらに備える。前記第１の取付スペースが前記器体に設けられている。
　【００２４】
　一実施形態において、前記第２の取付スペースは、前記分岐ブレーカを取りつけるためのスペースの一部であって、前記分岐ブレーカの１乃至複数個分に相当する寸法を有する。
　【００２５】
　本発明に係る分電盤システムは、系統電源からの電力供給が停止している状態で電力の出力が可能である前記第２の分散型電源が接続された分電盤と、前記系統電源からの電力供給が停止している状態で電力供給が必要である機器が接続された第２の分岐ブレーカを備える自立分電盤とを備える。前記分電盤は、電力系統の電源線と電気的に接続される主幹ブレーカと、前記主幹ブレーカの負荷側の電路を複数の負荷回路に分岐する複数の分岐ブレーカと、発電した電力を前記電力系統へ逆潮流させる第１の分散型電源と前記主幹ブレーカの電源側との間に接続される第１の開閉器が配置される、第１の取付スペースと、発電した電力を前記電力系統へ逆潮流させない前記第２の分散型電源と前記主幹ブレーカの負荷側との間に接続される第２の開閉器が配置される、第２の取付スペースと
、連携アダプタと
前記連携アダプタは、入力情報に基づいて他装置に出力する出力情報を生成するよう構成される処理部を備える。前記入力情報は、前記電力系統から受電する電力に関する情報と、前記複数の分岐ブレーカをそれぞれ通過する電力に関する情報と、前記第２の開閉器を通過する電力に関する情報との少なくとも一つを含む。前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になる。
　【００２６】
　一実施形態において、前記自立分電盤は、前記分電盤と前記第２の分散型電源とのいずれかから受電し、受電した電力を前記第２の分岐ブレーカに給電する第３の開閉器を備える。
　【００２７】
　一実施形態において、前記第３の開閉器が受電する経路に、前記系統電源から電力が供給されている期間に前記主幹ブレーカを通して受電する状態を選択し、前記系統電源からの電力供給が停止している期間に前記第２の分散型電源から受電する状態を選択する切替器をさらに備える。
　【００２８】
　一実施形態において、前記第３の開閉器と前記切替器とが前記自立分電盤に設けられている。
　【００２９】
　本発明の構成によれば、電力系統への逆潮流が許容されている第１の分散型電源が接続される第１の開閉器と、電力系統への逆潮流が禁止されている第２の分散型電源が接続される第２の開閉器とを取り付けるスペースを備える。したがって、第１の分散型電源と第２の分散型電源とを順に導入する場合であっても分電盤を交換する必要がなく、また分散型電源を接続するだけで配電網に対する新たな工事を行う必要がないという利点がある。さらに、第１の分散型電源と第２の分散型電源とが分電盤に接続されるから、複数種類の分散型電源の管理を１箇所で集中して行うことが可能になる。
　【図面の簡単な説明】
　【００３０】
　【図１】実施形態の分電盤および自立分電盤を示すブロック図である。
　【図２】同上の分電盤および自立分電盤の外観を示す正面図である。
　【図３】同上の分電盤および自立分電盤の使用例を示す概略構成図である。
　【図４】同上の分電盤および自立分電盤の外観を示す正面図である。
　【図５】同上の分電盤に設けられる計測ユニットのセンサブロックの斜視図である。
　【図６】同上の分電盤に取り付けられる第１の開閉器の正面図である。
　【図７】同上の分電盤に取り付けられる第２の開閉器の斜視図である。
　【図８】同上の自立分電盤の他例を示すブロック図である。
　【発明を実施するための形態】
　【００３１】
　本実施形態の分電盤３０は、図１、２に示すように、主幹ブレーカ３１と、複数の分岐ブレーカ３２と、主幹ブレーカ３１および複数の分岐ブレーカ３２が内部に取り付けられたキャビネット３５とを備える。本実施形態の分電盤３０は、所定場所（住居など）にキャビネット３５を取り付けた状態で使用される。また、キャビネット３５内には、連携アダプタ１０が取り付けられる。すなわち、連携アダプタ１０は、分電盤３０に内器として取り付けられる。
　【００３２】
　まず、図１〜３を参照して、連携アダプタ１０について説明する。
　【００３３】
　本実施形態の連携アダプタ１０は、分電盤３０を通過する電力に関する情報を取得し、取得した情報から出力情報を生成し、生成した出力情報を外部に出力する機能を有する。分電盤３０を通過する電力に関する情報は、外部から分電盤３０に供給される電力の量、および分電盤３０から外部に供給される電力の量を含む。
　【００３４】
　図１に示すように、連携アダプタ１０は、他装置（外部）と通信する通信インターフェイス部（第１の通信インターフェイス部１１、第２の通信インターフェイス部１２）と、処理部１３と、少なくとも処理部１３を収納する器体１４とを備える。以下、「通信インターフェイス部」を「通信Ｉ／Ｆ部」と略称する。
　【００３５】
　通信Ｉ／Ｆ部のうちの第１の通信Ｉ／Ｆ部１１は、通信機能を有した電力量計２０と通信する。通信Ｉ／Ｆ部のうちの第２の通信Ｉ／Ｆ部１２は、電力量計２０が設置された需要家（分電盤３０が取り付けられた所定場所）で利用される機器と通信する。なお、電力量計２０と通信するための第１の通信Ｉ／Ｆ部１１は省略可能である。
　【００３６】
　図３に示すように、第２の通信Ｉ／Ｆ部１２と通信する機器（需要家で利用される機器）は、照明機器、空調機器、厨房機器、映像機器などの設備機器（分電盤３０が取り付けられた所定場所に設置される設備機器）７２と、設備機器７２の管理を行う機器（コントローラ）７０と、操作表示機器のように情報の入出力を行う機器（提示機器）７１と、インターネット網、ＣＡＴＶ網、電話網などの公衆網である電気通信回線を通して通信する無線ルータのような機器（通信機器）７３とのうちの少なくとも一つを含む。すなわち、第２の通信Ｉ／Ｆ部１２は、設備機器７２、コントローラ７０、提示機器７１、通信機器７３の少なくとも１種類に対して出力情報を送出する機能を有する。図３の例では、第２の通信Ｉ／Ｆ部１２はコントローラ７０および通信機器７３と通信する。
　【００３７】
　第２の通信Ｉ／Ｆ部１２から機器に送出される出力情報は、設備機器７２の監視と制御との少なくとも一方を行う管理情報、提示機器７１を通して利用者に提示される提示情報、通信機器７３を通して外部に通知される通知情報のうちの少なくとも一つを含む。
　【００３８】
　第２の通信Ｉ／Ｆ部１２は、管理情報を設備機器７２と直接授受してもよいが、通常は、設備機器７２を管理するコントローラ７０と授受し、設備機器７２の実際の管理はコントローラ７０が行うことが望ましい。この種のコントローラ７０は、ＨＥＭＳ（Ｈｏｍｅ　Ｅｎｅｒｇｙ　Ｍａｎａｇｅｍｅｎｔ　Ｓｙｓｔｅｍ）コントローラと呼ばれており、設備機器７２の動作状態について監視および制御が可能になっている。なお、連携アダプタ１０が、ＨＥＭＳコントローラとは通信しないが通信機器７３とは通信可能なデジタル家電のような設備機器７２の管理を行う場合、第２の通信Ｉ／Ｆ部１２は、通信機器７３を通して設備機器７２に管理情報を伝送してもよい。
　【００３９】
　提示情報は、提示機器７１にて提示され、利用者に種々の情報を提供する。提示機器７１による情報の提示方法は、提示機器７１が備える画面上への表示、提示機器７１が備えるスピーカによる音声の発生を含む。
　【００４０】
　提示機器７１は、提示の機能のみを有していてもよいが、操作表示機器のように、操作も可能になっていることが好ましい。この場合には、提示機器（操作表示機器）７１は、提示機器７１に提示された情報を認識した利用者が、設備機器７２の動作状態を変更する目的でも使用可能である。この場合、提示機器７１に利用者から与えられた指示は、設備機器７２に直接またはコントローラ７０を介して通知される。なお、利用者が、スマートフォン、タブレット端末、テレビジョン受像機、パーソナルコンピュータなど、通信機器７３と通信可能な機器を提示機器７１として用いる場合、第２の通信Ｉ／Ｆ部１２（分電盤３０）は、図３に例示するように、通信機器７３を通して提示機器７１に提示情報を伝送してもよい。
　【００４１】
　通知情報は、電気事業者に対して情報を通知するために用いられる。第２の通信Ｉ／Ｆ部１２（分電盤３０）は、図３に例示するように、通信機器７３を通して、通知情報を電気事業者が運営する管理装置６１などに伝送する。
　【００４２】
　第１の通信Ｉ／Ｆ部１１および第２の通信Ｉ／Ｆ部１２は、電波を伝送媒体とする無線通信、電力線を通信線に兼用する電力線搬送通信、ＲＳ４８５、ＥＣＨＯＮＥＴ（登録商標）Ｌｉｔｅのような有線通信などから選択される通信技術を採用する。無線信号の仕様は、ＷｉＦｉ（登録商標）、特定小電力無線（たとえば、９２０ＭＨｚ帯）、ＺｉｇＢｅｅ（登録商標）、Ｂｌｕｅｔｏｏｔｈ（登録商標）などから選択される。第１の通信Ｉ／Ｆ部１１の通信方式（第１の通信方式；たとえば電力線搬送通信）は、第２の通信Ｉ／Ｆ部１２の通信方式（第２の通信方式；たとえば無線通信）とは異なっていてもよい。
　【００４３】
　処理部１３は、プログラムを実行するプロセッサを備えたデバイスを主なハードウェア要素として備える。この種のデバイスは、メモリを備えるマイコンが代表例である。すなわち、処理部１３は、図１に示すように、プログラムやデータを格納するためのメモリ１３１を備える。処理部１３は、メモリを別途に必要とするＣＰＵ（Ｃｅｎｔｒａｌ　Ｐｒｏｃｅｓｓｉｎｇ　Ｕｎｉｔ）であってもよい。すなわち、連携アダプタ１０は、処理部１３とは別に設けられたメモリ（図示せず）を備えていてもよい。
　【００４４】
　処理部１３の動作に必要なプログラムとデータは、第１の通信Ｉ／Ｆ部１１と第２の通信Ｉ／Ｆ部１２とのいずれかを通して与えられる。あるいはまた、処理部１３の動作に必要なプログラムとデータは、メモリカードのような記憶媒体１６を通して与えられてもよい。
　【００４５】
　処理部１３が第１の通信Ｉ／Ｆ部１１を通してプログラムとデータを取得する場合、電力量計２０を経由する経路で電気事業者からプログラムとデータを受け取ることになる。すなわち、電力量計２０は、インターネット回線、ＣＡＴＶ網、電話網のような公衆網である電気通信回線ＮＴを通して電気事業者などが運営する上位装置と通信することが必要である。この種の上位装置は、電気事業者が運営する管理装置６１のほか、電気事業者ではないサービス提供者が運営する管理装置６２などを含む（図３参照）。
　【００４６】
　ここで、サービス提供者が運営する管理装置６２は、需要家に対してはエネルギー管理を行うサービスなどを提供する。また、管理装置６２は、需要家における電力の使用量を計測して電気事業者に通知するサービス、あるいは、電気事業者からの節電要求のようなデマンドレスポンスを需要家に通知するサービスなどを提供する。図３に示す例では、電気事業者が運営する管理装置６１は、サービス提供者が運営する管理装置６２と通信するように通信路が構成されている。管理装置６２は、電力量計２０と通信することにより、電力量計２０が計測した電力量の遠隔検針を行い、また、電力量計２０を中継に用いて節電要求の情報（いわゆる、デマンドレスポンス情報）を需要家に通知する機能を有する。本実施形態では、管理装置６２から通知された節電要求の情報は、電力量計２０を通して連携アダプタ１０が受信する。
　【００４７】
　管理装置６２は、上述の節電要求と同様に、電力量計２０を中継に用いて、連携アダプタ１０にプログラムとデータを転送することも可能になっている。さらに、電力量計２０は、連携アダプタ１０と通信可能であるから、計測した電力に関する情報を連携アダプタ１０に送信することも可能である。したがって、処理部１３は、第１の通信Ｉ／Ｆ部１１（および電力量計２０）を通して、管理装置６２（あるいは６１）からプログラムとデータを取得することができる。
　【００４８】
　処理部１３が第２の通信Ｉ／Ｆ部１２を通してプログラムとデータを取得する場合、第２の通信Ｉ／Ｆ部１２との間で通信が可能な支援装置（図示せず）からプログラムとデータが転送される。支援装置は、インターネット回線のような電気通信回線を通してプログラムとデータのダウンロードを行い、第２の通信Ｉ／Ｆ部１２を通してプログラムとデータを処理部１３に読み込ませる。支援装置は、パーソナルコンピュータ、スマートフォン、タブレット端末など、第２の通信Ｉ／Ｆ部１２と通信機器７３との両方に対して通信可能な機器であってもよい。
　【００４９】
　図１に示すように、連携アダプタ１０は、処理部１３が記憶媒体１６からプログラムとデータを取得するために、器体１４に、記憶媒体１６の取り付けと取り外しとが可能になる接続部１５を備えていてもよい。接続部１５は、メモリカードが挿入されるスロットを備え、メモリカードの電極に電気的に接続される接触子がスロット内に配置された構成を備える。
　【００５０】
　ここに、処理部１３は、接続部１５に記憶媒体１６が装着されると、記憶媒体１６が記憶しているプログラムとデータを読み出すことが望ましい。すなわち、利用者が記憶媒体１６を接続部１５に挿入するという操作を契機にして、処理部１３が記憶媒体１６に格納された情報を確認し、読出可能と判断した場合に、記憶媒体１６に格納された情報を処理部１３に読み込むようにすればよい。
　【００５１】
　処理部１３がプログラムとデータを読み込んだ後は、接続部１５から記憶媒体１６を取り外すことができるから、１つの記憶媒体１６を用いて、異なる複数の連携アダプタ１０にプログラムとデータを読み込ませることが可能になる。
　【００５２】
　処理部１３が第１の通信Ｉ／Ｆ部１１と第２の通信Ｉ／Ｆ部１２と記憶媒体１６とのいずれからプログラムとデータを読み込むかにかかわらず、支援装置によって読み込みのタイミングの指示と読み込みの終了の報知とを行えばよい。
　【００５３】
　たとえば、処理部１３は、プログラムとデータの読み込みが必要となったときに、第２の通信Ｉ／Ｆ部１２を通して、支援装置にプログラムとデータを要求する提示情報を送出する。支援装置は、プログラムとデータを要求する提示情報を画面に提示する。支援装置は、提示情報に対して使用者からプログラムとデータの読み込みの指示を受け取ると、電気通信回線を通して管理装置６２にプログラムとデータを要求する。要求を受けとった管理装置６２は、第１の通信Ｉ／Ｆ部１１を通して、要求されたプログラムとデータを処理部１３に送出する。或いは、要求を受け取った管理装置６２は、支援装置および第２の通信Ｉ／Ｆ部１２を通して、要求されたプログラムとデータを処理部１３に送出する。処理部１３は、受信したプログラムとデータを読み込んでメモリ１３１に格納する。また処理部１３は、プログラムとデータの読み込みが終了すると、支援装置に、読み込みが終了したことを示す提示情報を送信する。
　【００５４】
　処理部１３は、たとえば、第１の通信Ｉ／Ｆ部１１と第２の通信Ｉ／Ｆ部１２との少なくとも一方を通して取得した情報を入力情報として出力情報を生成する機能を有している。たとえば、処理部１３は、第１の通信Ｉ／Ｆ部１１を通して電力量計２０から取得した情報に基づいて、出力情報を生成する。また、処理部１３が生成した出力情報は、第１の通信Ｉ／Ｆ部１１と第２の通信Ｉ／Ｆ部１２との少なくとも一方から送出される。たとえば、処理部１３で生成された出力情報は、第２の通信Ｉ／Ｆ部１２から、需要家で利用される機器に出力される。
　【００５５】
　第１の通信Ｉ／Ｆ部１１、第２の通信Ｉ／Ｆ部１２、処理部１３は、器体１４に収納される。本実施形態の器体１４は、分電盤３０のキャビネット３５に取り付けられるように、寸法および形状が定められる。具体的には、電流制限器（アンペアブレーカ）を取り付けることができる分電盤３０において、電流制限器に代えて取り付けることができるように器体１４の寸法および形状が定められている。したがって、本実施形態の連携アダプタ１０は、既存の分電盤３０に、分電盤３０の設計を変更することなく取り付けることが可能である。ただし、連携アダプタ１０の器体１４の寸法および形状を、電流制限器が取付可能である分電盤３０に収納できるように定めることは必須ではない。
　【００５６】
　次に、図１〜３を参照して、本実施形態の分電盤３０について説明する。
　【００５７】
　分電盤３０のキャビネット３５は、図２に示すように、一の方向（図２の左右方向）Ｄ１に長く、方向Ｄ１に直交する方向の一面（図２の正面側）が開口した矩形箱状に形成されている。図３に示すように、キャビネット３５には、キャビネット３５の開口を覆う開閉可能な扉３６が取り付けられる。
　【００５８】
　図２に示すように、連携アダプタ１０は、キャビネット３５内に取り付けられている。連携アダプタ１０は、図１および図２に示すように、電力量計２０が接続されている電力系統の電源線Ｌｐが接続される第１の端子部２１と、分電盤３０に取り付けられた主幹ブレーカ３１を接続する接続線Ｌｃが接続される第２の端子部２２とを備える。第１の端子部２１と第２の端子部２２とは、器体１４における一面（図２の正面側）に設けられている。第１の端子部２１と第２の端子部２２とは、連携アダプタ１０の内部（器体１４の内部）で電気的に接続される。
　【００５９】
　本実施形態は、系統電源２５からの電力供給方式が単相三線方式である場合を想定しており、図２に示すように、電源線Ｌｐおよび接続線Ｌｃは３線（中性線、第１の電圧線、および第２の電圧線）で構成されている。したがって本実施形態では、第１の端子部２１および第２の端子部２２の各々は、中性線、第１の電圧線、および第２の電圧線にそれぞれ対応する３つの接続端子（第１〜第３の接続端子）を備えている。
　【００６０】
　なお、電力供給方式は、限定する趣旨ではなく、日本国において、住宅、事務所、店舗などの多くの需要家で採用されている代表例として示している。系統電源２５からの電力供給方式は、単相三線方式に限られず、単相二線方式などであってもよい。単相二線方式の系統電源２５に接続する場合、第１の端子部２１および第２の端子部２２は、１本の電圧線と１本の中性線とにそれぞれ対応する２つの接続端子（第１および第２の接続端子）を備えていればよい。
　【００６１】
　キャビネット３５内において、連携アダプタ１０よりも方向Ｄ１の第１側（図２の右側）には、主幹ブレーカ３１が取り付けられている。主幹ブレーカ３１の電源側は、電力系統の電源線Ｌｐと電気的に接続されている。具体的には、主幹ブレーカ３１の第１端子（電源側の端子）３１０が接続線Ｌｃを介して連携アダプタ１０の第２の端子部２２に接続され、連携アダプタ１０の第１の端子部２１が電力系統の電源線Ｌｐを介して系統電源２５に接続されている。すなわち、主幹ブレーカ３１の電源側は、連携アダプタ１０を介して系統電源２５（電力系統の電源線Ｌｐ）に電気的に接続されている。
　【００６２】
　なお、本実施形態では、連携アダプタ１０の第２の端子部２２と主幹ブレーカ３１とは、電線である接続線Ｌｃにより電気的に接続されているが、板状の導電部材を用いて接続される構成でもよい。
　【００６３】
　図１、２に示すように、主幹ブレーカ３１の負荷側には、複数の分岐ブレーカ３２が接続されている。分岐ブレーカ３２は、主幹ブレーカ３１が挿入されている主幹回路を複数の負荷回路３８に分岐させる。したがって、負荷回路３８ごとに、分岐ブレーカ３２が挿入される。ここに、主幹回路は、分電盤３０の内部において電源線Ｌｐから各分岐ブレーカ３２の第１端子（電源側の端子）までの電路を意味し、負荷回路３８は各分岐ブレーカ３２の第１端子（電源側の端子）よりも下流側の電路を意味する。
　【００６４】
　具体的には、図１に示すように、主幹ブレーカ３１の第２端子（負荷側の端子；図示せず）には、導電バーセット３７が接続されている。また、導電バーセット３７には、複数の分岐ブレーカ３２が接続されている。これにより、複数の分岐ブレーカ３２は、主幹ブレーカ３１が挿入されている主幹回路を複数の負荷回路３８に分岐させる。
　【００６５】
　図１に示すように、導電バーセット３７は、主幹ブレーカ３１の方向Ｄ１の第１側（図１の右側）に配置されている。導電バーセット３７は、方向Ｄ１（キャビネット３５の長手方向）に長く形成されている。本実施形態では、中性線、第１の電圧線、および第２の電圧線に対応して、導電バーセット３７は３本の導電バーを備えている。
　【００６６】
　複数の分岐ブレーカ３２は、導電バーセット３７に対して、方向Ｄ１と直交する方向Ｄ２（図２の上下方向）の両側に配置されている。複数の分岐ブレーカ３２は、導電バーセット３７の方向Ｄ２の両側に、方向Ｄ１に並んで配置されている。
　【００６７】
　各分岐ブレーカ３２は、第１端子（電源側の端子；図示せず）と第２端子（負荷側の端子）３２１とを有している。各分岐ブレーカ３２の第１端子が、導電バーセット３７に接続されている。各分岐ブレーカ３２の第２端子３２１は、電線を介して、コンセントや電気機器などに接続される。
　【００６８】
　本実施形態の主幹ブレーカ３１は、たとえば３Ｐ３Ｅ型（極数３、素子数３）のブレーカであって、自己の内部に設けられた中性線、第１の電圧線、第２の電圧線の電路に、それぞれ引き外し素子（電流検出部を含む）が設けられる。主幹ブレーカ３１は、中性線、第１の電圧線、第２の電圧線のいずれかの電路を流れる電流が所定の定格電流を超えたことを検知すると、複数の分岐ブレーカ３２と系統電源２５との間の電路を遮断する。
　【００６９】
　また各分岐ブレーカ３２は、たとえば２Ｐ１Ｅ型（極数２、素子数１）のブレーカであって、自己の内部に設けられた第１の電線、第２の電線の電路のうち、第１の電線の電路に引き外し素子（電流検出部を含む）が設けられる。各分岐ブレーカ３２は、第１の電線の電路を流れる電流が所定の定格電流を超えたことを検知すると、対応する負荷回路３８と主幹ブレーカ３１（系統電源２５）との間の電路を遮断する。各分岐ブレーカ３２の第１端子は２つの端子を含み、これらは導電バーセット３７の３本の導電バーのうちの２本（たとえば、中性極と第１の電圧極に対応する導電バー）にそれぞれ接続される。
　【００７０】
　図２に示すように、分電盤３０のキャビネット３５内には、方向Ｄ１の第２側から第１側（図２の左側から右側）に向かって、連携アダプタ１０、主幹ブレーカ３１、複数の分岐ブレーカ３２（および導電バーセット３７）が並んで配置されている。
　【００７１】
　次に、図１を参照して、複数の負荷回路３８の電力をそれぞれ計測する計測ユニット３３について説明する。
　【００７２】
　本実施形態の分電盤３０は、計測ユニット３３を備えている。計測ユニット３３は、分岐ブレーカ３２により分岐されたすべての負荷回路３８を対象として、負荷回路３８ごとに分岐ブレーカ３２を通過する電力を計測する複数のセンサ３９０を備える。すなわち、計測ユニット３３は、複数の負荷回路３８にそれぞれ対応する複数のセンサ３９０を備える。各センサ３９０は、対応する分岐ブレーカ３２を流れる電力を検出する。
　【００７３】
　一方、本実施形態の連携アダプタ１０は、図１に示すように、負荷回路３８ごとに電力を計測する計測ユニット３３が接続される接続口１７と、接続口１７に接続された計測ユニット３３から負荷回路３８ごとの電力の使用に関する情報を取得する取得部１８とを、さらに備えている。すなわち、連携アダプタ１０は、分岐ブレーカ３２をそれぞれ通過する電力に関する情報を計測ユニット３３から取得する。
　【００７４】
　計測ユニット３３の各センサ３９０は、対応する負荷回路３８を通過する電流を計測する電流センサを備え、電流センサが計測した電流値と負荷回路３８の線間の電圧値とを用いて電力を算出する。電流センサは、たとえば、ロゴスキーセンサが用いられる。なお、計測ユニット３３は、電流センサのみを備える構成とし、電流値と電圧値とを、連携アダプタ１０に入力情報として与えることにより、処理部１３が電力を算出する構成であってもよい。この場合、負荷回路３８ごとの電力の使用に関する情報は、負荷回路３８ごとに計測された電流値と電圧値とになる。
　【００７５】
　たとえば計測ユニット３３は、図５に示すように、複数のセンサ３９０が設けられたセンサブロック３９を備える。センサブロック３９は、矩形板状に形成されており、複数の差込孔３９１が長手方向に沿って２列に設けられている。図５の下側の差込孔３９１の各々の周りに、センサ３９０（ロゴスキーコイル）が設けられている。
　【００７６】
　図５の上側の複数の差込孔３９１には、たとえば中性極の導電バーの複数の接続端子がそれぞれ挿入され、下側の複数の差込孔３９１には、たとえば第１の電圧極の導電バーの複数の接続端子がそれぞれ挿入される。各分岐ブレーカ３２の第１端子の２つの端子は、中性極の導電バーの接続端子と第１の電圧極の導電バーの接続端子とに、それぞれ接続される。これにより、各分岐ブレーカ３２を流れる電流を、センサ３９０によって計測することが可能になる。
　【００７７】
　計測ユニット３３が計測した負荷回路３８ごとの電力の使用に関する情報は、入力情報として処理部１３に与えられる。計測ユニット３３が計測した電力の使用に関する情報は、電流値と電圧値との瞬時値でよいが、所定時間（たとえば、１分）ごとの電力量（瞬時電力とみなす）と、瞬時電力を積算した積算電力量との少なくとも一方であることがより望ましい。
　【００７８】
　計測ユニット３３は、負荷回路３８ごとの電力を計測するだけではなく、主幹回路についても電力を計測することが望ましい。すなわち、計測ユニット３３は、主幹ブレーカ３１を通過する電力を計測するセンサを備えていることが好ましい。主幹回路の電力の使用に関する情報は、負荷回路３８ごとの瞬時電力あるいは積算電力量の合計として求めることが可能であるが、負荷回路３８ごとに求められた情報を合計した場合、主幹回路について計測した情報に対して誤差を含むことが多い。したがって、主幹回路の電力に関する情報は、主幹回路について直接計測することが望ましい。
　【００７９】
　処理部１３は、取得部１８を通して計測ユニット３３から得られた入力情報を用いることにより、負荷回路３８ごとの瞬時電力と積算電力量との少なくとも一方を取得することが可能になる。また、処理部１３は、主幹回路についても瞬時電力と積算電力量との少なくとも一方を取得することが可能になる。
　【００８０】
　（第１の分散型電源との連携）
　本実施形態における連携アダプタ１０は、図１に示すように、発電した電力を電力系統へ逆潮流させる（たとえば、電力系統への逆潮流が許容されている）太陽光発電装置のような第１の分散型電源４１と主幹ブレーカ３１の電源側の主幹回路との間に接続される第１の開閉器５１が接続可能な第３の端子部２３を備える。第３の端子部２３は、第１の端子部２１および第２の端子部２２と電気的に接続される。すなわち、第３の端子部２３は、第２の端子部２２を通して主幹ブレーカ３１に電気的に接続されており、第１の端子部２１を通して系統電源２５に電気的に接続されている。
　【００８１】
　第１の開閉器５１は、第１の分散型電源４１を電力系統と連系させる場合にオンになり、第１の分散型電源４１を電力系統から切り離す場合にオフになるように制御される。すなわち、第１の開閉器５１は、系統電源２５からの電力供給が停止した場合、系統電源２５あるいは第１の分散型電源４１に異常が生じた場合などに、第１の分散型電源４１を解列するために設けられる。また、第１の開閉器５１は、漏電ブレーカを含んでいる。
　【００８２】
　第１の開閉器５１は、たとえば、図６に示すように３Ｐ３Ｅ型（極数３、素子数３）のブレーカである。第１の開閉器５１は、第１の分散型電源４１の電源ケーブルが接続される、端子部５１０を備える。本実施形態では、中性線、第１の電圧線、第２の電圧線に対応して、端子部５１０は３つの端子部を含む。
　【００８３】
　第１の開閉器５１は、分電盤３０にスペースを確保できる場合には、分電盤３０の内部空間において、連携アダプタ１０とは別の場所に配置することが可能である。この場合、分電盤３０の内部に第１の開閉器５１を配置する第１の取付スペースが形成されるように、連携アダプタ１０の器体１４の寸法が設計される。しかし、本実施形態のように、連携アダプタ１０の器体１４を電流制限器と同程度の寸法に形成した場合、第１の開閉器５１を配置するスペースを連携アダプタ１０の取付スペースと独立して分電盤３０の内部に確保することはできない。
　【００８４】
　そのため、図２に示すように、本実施形態の連携アダプタ１０は、第１の開閉器５１が装着される第１の取付スペースＳＰ１を器体１４の一部に備えている。第１の開閉器５１は、第１の取付スペースＳＰ１に対して取り付けと取り外しとが可能になっている。第１の取付スペースＳＰ１は、器体１４に形成された凹所である。第１の取付スペースＳＰ１は、第１の開閉器５１が第１の取付スペースＳＰ１に装着されたときに第１の開閉器５１の端子（図示せず）が電気的に接続される、差込式の接続部（図示せず）を備える。本実施形態では、この差込式の接続部が、第３の端子部２３を構成している。なお、図２に示す例では、器体１４は、第１の取付スペースＳＰ１を１つ備えているが、第１の取付スペースＳＰ１を複数備えていてもよい。
　【００８５】
　すなわち、本実施形態の分電盤３０は、発電した電力を電力系統へ逆潮流させる第１の分散型電源４１を接続するための第１の開閉器５１が配置される、第１の取付スペース（凹所）ＳＰ１を備えている。本実施形態では、図１および図２に示すように、第１の取付スペースＳＰ１は連携アダプタ１０の器体１４に設けられている。第３の端子部２３は、取付スペースＳＰ１内に設けられており、第１の開閉器５１が第１の取付スペースＳＰ１に配置されたときに、第１の開閉器５１に接続される。
　【００８６】
　したがって、第１の開閉器５１が第３の端子部２３に接続され、第１の分散型電源４１が第１の開閉器５１に接続されると、第１の分散型電源４１で発電された電力を第２の端子部２２を介して主幹ブレーカ３１へ供給することが可能となり、また、第１の分散型電源４１で発電された電力を第１の端子部２１を介して系統電源２５へ逆潮流することが可能となる。
　【００８７】
　第１の開閉器５１の端子と接続部（第３の端子部２３）との一方は、たとえば、２枚の板ばねを向かい合わせた構造が採用され、他方は、２枚の板ばねの間に差し込まれる板状の導体片を備える構造が採用される。この種の構造は、電源プラグの栓刃とレセプタクルの刃受ばねとの関係において採用されている構造に類似している。この構成により、第１の開閉器５１が第１の取付スペースＳＰ１に装着されると、第１の開閉器５１と第３の端子部２３とが電気的に接続される。第１の開閉器５１の端子は、電源プラグの栓刃と同様の構造（雄コネクタ）を有し、連携アダプタ１０の第３の端子部２３は、レセプタクルと同様の構造（雌コネクタ）を有することが好ましい。
　【００８８】
　上述した構成（連携アダプタ１０が第１の取付スペースＳＰ１を備えた構成）では、連携アダプタ１０を取り付けた分電盤３０が需要家に設置されていれば、太陽光発電装置のような第１の分散型電源４１が需要家に設置された時点で、第１の開閉器５１を第１の取付スペースＳＰ１に後付けで取り付けることができる。つまり、需要家において、第１の分散型電源４１が必要になったときに、分電盤３０の内部に第１の開閉器５１を取り付けることによって、第１の分散型電源４１を系統と連系させることが可能になる。
　【００８９】
　このように、本実施形態の分電盤３０は第１の取付スペースＳＰ１を備えているので、第１の分散型電源４１を新たに導入する場合でも、分電盤を交換する必要がない。さらに、第１の開閉器５１を第１の取付スペースＳＰ１に配置する（第３の端子部２３に接続する）だけで、大規模な工事を行わずに第１の分散型電源４１を分電盤３０に接続することができる。
　【００９０】
　本実施形態の連携アダプタ１０は、図１に示すように、第１の開閉器５１を通過した電力を計測する内蔵センサ２４をさらに備えている。内蔵センサ２４は、第２の端子部２２と第３の端子部２３との間に設けられている。すなわち本実施形態では、第１の分散型電源４１が発電した電力は、連携アダプタ１０に設けられた内蔵センサ２４が計測する。内蔵センサ２４は、第３の端子部２３を通して受電した電力を計測するために、たとえば線路ごとに通過する電流値を計測する電流センサを備え、電流センサが計測した電流値と線間の電圧値とを用いて電力を計測する。要するに、内蔵センサ２４は第１の開閉器５１を通過する電力を計測する。
　【００９１】
　内蔵センサ２４が計測した電力に関する情報は、取得部１８を通して入力情報として処理部１３に与えられる。すなわち、処理部１３は、内蔵センサ２４が計測した電力に関する情報から、第１の開閉器５１を通過する電力に関する情報を求める。ここに、内蔵センサ２４が計測した電力に関する情報は、電流値と電圧値との瞬時値でよいが、所定時間（たとえば、１分）ごとの電力量（瞬時電力とみなす）と、瞬時電力を積算した電力量との少なくとも一方であることが望ましい。
　【００９２】
　処理部１３は、取得部１８を通して内蔵センサ２４から得られた入力情報（第１の開閉器５１を通過する電力に関する情報）を用いることにより、第１の分散型電源４１が発電した電力について、瞬時電力と積算電力量との少なくとも一方を取得することが可能になる。また、処理部１３は、計測ユニット３３からの入力情報（分岐ブレーカ３２をそれぞれ通過する電力に関する情報）により、負荷回路３８ごとに使用した電力を取得するから、第１の分散型電源４１が発電した電力との差分により、余剰電力（あるいは、逆潮流を行った電力）の算出が可能になる。すなわち、処理部１３は、分岐ブレーカ３２をそれぞれ通過する電力に関する情報と第１の開閉器５１を通過する電力に関する情報とを用いて、第１の分散型電源４１が発電した電力のうち電力系統に逆潮流された電力を算出することができる。
　【００９３】
　図示していないが、第１の分散型電源４１を蓄電装置と組み合わせて用いる場合には、第１の端子部２１と第２の端子部２２との間に開閉器を設けてもよい。この構成では、第１の分散型電源４１の電力と蓄電装置の電力とにより負荷回路３８が要求する電力を充足できる場合に、開閉器によって負荷回路３８から電力系統を切り離し、負荷回路３８が要求する電力が不足する場合に、電力系統を接続するという動作が可能になる。このような開閉器の動作は、処理部１３が制御する。
　【００９４】
　第１の分散型電源４１が発電した電力に関する情報を処理部１３が入力情報に用いて出力情報を生成する処理は、第１の分散型電源４１が接続されている場合にのみ必要になる。そのため、第１の分散型電源４１が接続されたときに、該当するプログラムとデータ（第１の開閉器５１を通過する電力に関する情報を処理するためのプログラムとデータ）を処理部１３で読み込むことが望ましい。たとえば処理部１３は、第１の分散型電源４１から所定の無線信号を第２の通信Ｉ／Ｆ部を介して受信したときに、該当するプログラムとデータを第１の通信Ｉ／Ｆ部１１または第２の通信Ｉ／Ｆ部１２を通して受信する。なお、プログラムとデータを処理部１３にあらかじめ登録しておき、第１の分散型電源４１が接続されたときに所要のプログラムとデータを起動するようにしてもよい。ただし、処理部１３にプログラムとデータをあらかじめ登録している場合でも、第１の分散型電源４１が接続されたときに、あらためて最新のプログラムとデータ（プログラムとデータの更新情報）を読み込むから、プログラムとデータは、選択肢から選ぶ構成ではなく、必要なときに読み込む構成であることが好ましい。
　【００９５】
　なお、第１の分散型電源４１を用いないことが明らかである場合、第３の端子部２３は不要である。したがって、第３の端子部２３を備えていない連携アダプタ１０を分電盤３０に取り付けてもよい。
　【００９６】
　（第２の分散型電源との連携）
　本実施形態の分電盤３０は、発電した電力を電力系統へ逆潮流させる（たとえば、電力系統への逆潮流が許容されている）第１の分散型電源４１だけではなく、発電した電力を電力系統へ逆潮流させない（たとえば、電力系統への逆潮流が禁止されている）第２の分散型電源４２を接続することも可能になっている。このために、本実施形態の分電盤３０は、発電した電力を電力系統へ逆潮流させない第２の分散型電源４２を接続するための第２の開閉器５２が配置される、第２の取付スペースＳＰ２を備えている。すなわち、分電盤３０のキャビネット３５には、第２の分散型電源４２を接続するために、分岐ブレーカ３２を取り付けるスペースの一部に、図２に示すように第２の開閉器５２が配置される第２の取付スペースＳＰ２が設けられている。具体的には、第２の取付スペースＳＰ２は、導電バーセット３７の方向Ｄ１の第１側且つ方向Ｄ２の一方側（図２の右下側）に設けられている。
　【００９７】
　また本実施形態では、第２の取付スペースＳＰ２に、第２の開閉器５２が取りつけられる取付台３４が装着されている。取付台３４は、導電バーセット３７に接続される。したがって、第２の開閉器５２は、第２の分散型電源４２と主幹ブレーカ３１の負荷側（導電バーセット３７）との間に接続される。
　【００９８】
　図２に示す例では、３個の分岐ブレーカ３２に相当する取付スペースＳＰ２に取付台３４（第２の開閉器５２）を配置しているが、第２の取付スペースＳＰ２は、第２の開閉器５２のサイズと個数とに応じて、分岐ブレーカ５２の１乃至複数個分に相当する寸法が空いていればよい。
　【００９９】
　取付台３４は、連携アダプタ１０と同様に、工場出荷前あるいは需要家での現場施工時に分電盤３０に取り付けられる。分電盤３０は、取付台３４を取り付けずに、取付台３４に相当する第２の取付スペースＳＰ２を空けておくことが可能である。しかしながら、分電盤３０に取付台３４が装着されずに放置されていると、第２の取付スペースＳＰ２に誤って分岐ブレーカ３２が装着される可能性があり、また導電部分（導電バーの露出部分）に埃が付着したり酸化膜が生じることにより、接触抵抗が増加する可能性がある。以上のような事情により、取付台３４は分電盤３０にあらかじめ取りつけられていることが望ましい。なお、第２の取付スペースＳＰ２は、第２の分散型電源４２を当面使用しないことが明らかである場合には、予備の分岐ブレーカ３２を装着しておいてもよい。
　【０１００】
　第２の分散型電源４２は、燃料電池、蓄電装置、蓄電池を搭載した電動車両などから選択される。なお、電動車両は、交流と直流との間で双方向に電力変換を行う変換器を搭載し、充電器を別途に必要としない構成である場合を想定する。また、第２の分散型電源４２は、電力系統への逆潮流を行わなければ、太陽光発電装置のように再生可能エネルギーを電力に変換する分散型電源であってもよい。分電盤３０に第２の分散型電源４２を接続する場合、第１の分散型電源４１と主幹回路との間に第１の開閉器５１が必要であるのと同様に、第２の分散型電源４２と主幹回路との間に第２の開閉器５２が必要である。第２の開閉器５２を通過する電力は、分岐ブレーカ３２を通過する電力と同様に、計測ユニット３３（計測ユニット３３のセンサ３９０）によって計測される。すなわち、連携アダプタ１０は、第２の開閉器５２を通過する電力に関する情報を、計測ユニット３３から取得する。
　【０１０１】
　第２の開閉器５２は、取付台３４に対して取り付けと取り外しとが可能になっている。第２の開閉器５２と取付台３４との関係は、第１の開閉器５１と連携アダプタ１０との関係と同様であり、第２の開閉器５２は取付台３４に対して取り付けと取り外しとが可能になるように装着される。
　【０１０２】
　第２の開閉器５２は、漏電ブレーカを含み、第２の分散型電源４２における異常発生時に、第２の分散型電源４２を主幹回路から切り離す機能を有する。
　【０１０３】
　なお、第２の開閉器５２は、取付台３４を介さずに直接導電バーセット３７に接続される構成であってもよい。この場合の第２の開閉器５２の例を、図７に示す。第２の開閉器５２は、たとえば、３Ｐ３Ｅ型（極数３、素子数３）のブレーカである。第２の開閉器５２は、第２の分散型電源４２の電源ケーブルが接続される、端子部５２０を備える。また第２の開閉器５２は、導電バーセット３７が接続される、差込口５２１を備える。差込口５２１内には端子（図示せず）が設けられている。本実施形態では、中性線、第１の電圧線、第２の電圧線に対応して、端子部５２０は３つの端子部を含む。また、差込口５２１は３つの差込口を含み、３つの差込口にそれぞれ対応して３つの端子が設けられている。
　【０１０４】
　第２の分散型電源４２が第２の開閉器５２を介して導電バーセット３７に接続されると、第２の分散型電源４２で発電された電力を、導電バーセット３７を介して複数の負荷回路３８に供給することが可能になる。
　【０１０５】
　このように、本実施形態の分電盤３０は第２の取付スペースＳＰ２を備えているので、第２の分散型電源４２を新たに導入する場合でも、分電盤を交換する必要がなく、また、第２の開閉器５２を第２の取付スペースＳＰ２に配置する（導電バーセット３７に接続する）だけで、大規模な工事を行わずに第２の分散型電源４２を分電盤３０に接続することができる。
　【０１０６】
　第２の分散型電源４２が分電盤３０に接続された場合、連携アダプタ１０の処理部１３には第２の分散型電源４２に対応したプログラムとデータが設定される。すなわち、第２の分散型電源４２は、電力系統への逆潮流を常に行わない（たとえば電力系統への逆潮流が禁止されている）から、連携アダプタ１０の処理部１３は、電力系統への逆潮流が生じないように制御を行う。
　【０１０７】
　すなわち、処理部１３は、第２の分散型電源４２から主幹回路に供給される電力と、負荷回路３８に供給される電力とを比較し、第２の分散型電源４２から供給される電力が負荷回路３８に供給される電力より小さくなるように、第２の分散型電源４２の出力を調節する。たとえば、処理部１３は、第２の通信Ｉ／Ｆ部１２を通して、無線通信によって第２の分散型電源４２の出力を調節する。
　【０１０８】
　なお、処理部１３は、第２の分散型電源４２の出力を直接調節する代わりに、第２の分散型電源４２に対して、第２の分散型電源４２から主幹回路に供給される電力と、負荷回路３８に供給される電力とを送信してもよい。この場合、第２の分散型電源４２が、負荷回路３８に供給される電力と第２の分散型電源４２から主幹回路に供給される電力とを比較し、自身の出力を調節する。
　【０１０９】
　第２の分散型電源４２は、燃料電池あるいは太陽光発電装置のように電力の供給のみを行う構成と、蓄電装置あるいは電動車両のように電力の供給（放電）だけではなく電力の蓄積（蓄電）を行う構成とが選択可能である。電力の供給のみを行う第２の分散型電源４２は、上述した動作による逆潮流の防止が行われるだけであるが、充電と放電とを行う第２の分散型電源４２は、逆潮流の防止だけではなく、蓄電量の管理も行われる。したがって、連携アダプタ１０に設定されるプログラムとデータは、第２の分散型電源４２の種類に応じて変更される。
　【０１１０】
　たとえば、蓄電装置あるいは電動車両の蓄電池は、系統電源２５の電力を用いて充電されるか、第１の分散型電源４１の電力を用いて充電される。系統電源２５の電力により充電される場合は、電力料金の単価が比較的低額である夜間の電力が用いられるように、充電のタイミングが管理される。また、蓄電装置あるいは電動車両の蓄電池は、翌日に利用する電力量あるいは電池の寿命などの種々の条件に応じて充電量が管理される。また、蓄電装置あるいは電動車両の蓄電池が、系統電源２５から購入する電力を低減させる目的、あるいは逆潮流の電力を調節する目的などに用いられる場合には、連携アダプタ１０は、それらの目的に応じた制御を行う。
　【０１１１】
　（出力情報の生成）
　上述のように、処理部１３は、入力情報に基づいて出力情報を生成し、生成した出力情報を外部（他装置）に送出する。入力情報は、少なくとも、電力系統から受電する電力に関する情報と、複数の分岐ブレーカ３２をそれぞれ通過する電力に関する情報とを含む。すなわち、分電盤３０に第１の分散型電源４１も第２の分散型電源４２もともに接続されていない場合、処理部１３は、電力系統から受電する電力に関する情報と、複数の分岐ブレーカ３２をそれぞれ通過する電力に関する情報とを用いて出力情報を生成する。電力系統から受電する電力に関する情報は、たとえば電力系統から供給される電力の量である。複数の分岐ブレーカ３２をそれぞれ通過する電力に関する情報は、たとえば複数の負荷回路３８でそれぞれ消費される電力の量である。
　【０１１２】
　処理部１３は、電力系統から受電する電力に関する情報を、電力量計２０から第１の通信Ｉ／Ｆ部１１を通して取得してもよいし、或いは電源線２５を通過する電力を計測するために設けられた専用のセンサから取得してもよい。処理部１３は、複数の分岐ブレーカ３２をそれぞれ通過する電力に関する情報を、計測ユニット３３から取得する。
　【０１１３】
　処理部１３は、分電盤３０に第１の分散型電源４１が接続されると、第１の開閉器５１を通過する電力に関する情報を入力情報に加える。第１の開閉器５１を通過する電力に関する情報は、たとえば第１の分散型電源４１から分電盤３０へ供給される電力の量である。処理部１３は、第１の開閉器５１を通過する電力に関する情報を、内蔵センサ２４から取得する。
　【０１１４】
　処理部１３は、分電盤３０に第２の分散型電源４２が接続されると、第２の開閉器５２を通過する電力に関する情報を入力情報に加える。第２の開閉器５２を通過する電力に関する情報は、たとえば第２の分散型電源４２から分電盤３０へ供給される電力の量である。なお、第２の分散型電源４２が蓄電装置の場合、第２の開閉器５２を通過する電力に関する情報は、分電盤３０から第２の分散型電源４２へ供給される電力の量をさらに含んでもよい。処理部１３は、第２の開閉器５２を通過する電力に関する情報を、計測ユニット３３から取得する。
　【０１１５】
　（提示機器との連携）
　以下では、連携アダプタ１０の動作について説明する。ここでは、連携アダプタ１０に第１の分散型電源４１および第２の分散型電源４２が接続されていない場合を想定する。通信機能を有する電力量計２０が需要家において未設置であっても、計測ユニット３３が設けられていれば、連携アダプタ１０は以下の動作を行う。
　【０１１６】
　処理部１３は、取得部１８を通して計測ユニット３３が計測した負荷回路３８ごとの電力に関する情報を取得し、この情報を入力情報として出力情報を生成し、出力情報を第２の通信Ｉ／Ｆ部１２から出力する。処理部１３は、入力情報の集計、グラフ化などの処理を行うことによって、利用者に提示したときに分かりやすい形式の出力情報を生成する。この場合、出力情報は、第２の通信Ｉ／Ｆ部１２を通して表示器（画面）を備える提示機器７１に送出される。
　【０１１７】
　連携アダプタ１０が複数種類の出力情報を生成し、提示機器７１の１画面ではすべての出力情報を表示しきれない場合は、画面に表示する内容を切り替える。そのため、提示機器７１は、表示器に加えて利用者が操作する操作部を備えた操作表示機器であることが望ましい。この種の操作表示機器の操作部は、表示器とは別に設けられたスイッチ、あるいは表示器の画面に重ねたタッチスイッチが用いられる。
　【０１１８】
　提示機器７１は、利用者に情報を提示する装置であって、第２の通信Ｉ／Ｆ部１２と通信する専用機器のほか、第２の通信Ｉ／Ｆ部１２を通して通信するスマートフォン、タブレット端末などから選択される機器が用いられる。なお、スマートフォン、タブレット端末などの端末装置を用いるためには、端末装置を提示機器７１として機能させるアプリケーションプログラムを端末装置に実行させればよい。
　【０１１９】
　上述の動作例のように、通信機能を有した電力量計２０が需要家に設置されていない場合には、処理部１３は、電力量計２０からは入力情報を取得できない。一方、需要家に通信機能を有した電力量計２０が設置されている場合、処理部１３は、電力量計２０からも入力情報を取得する。したがって、処理部１３は、提示機器７１に提示する出力情報を生成するために、電力量計２０から得られた入力情報を用いることが可能である。すなわち、処理部１３は、電力量計２０から取得した情報を入力情報に加え、入力情報（電力量計２０から取得した情報を含む）に基づいて出力情報を生成する。電力量計２０から得られる入力情報は、電力量計２０が計測した需要家での電力の使用量、管理装置６２から通知されたデマンドレスポンスの情報などがある。処理部１３は、電力量計２０から取得した入力情報も提示機器７１に提示可能な形式に加工する処理を行って提示機器７１に出力する。
　【０１２０】
　（設備機器との連携）
　第２の通信Ｉ／Ｆ部１２は、提示機器７１だけではなく、上述のように、設備機器７２、コントローラ７０、通信機器（無線ルータ）７３と通信することも可能である。ここで、連携アダプタ１０に予め組み込まれている第２の通信Ｉ／Ｆ部１２は、提示機器７１、設備機器７２、コントローラ７０、通信機器７３のいずれかとのみ通信可能に構成されていてもよい。
　【０１２１】
　たとえば、上述の動作例のように、連携アダプタ１０が提示機器７１に出力情報を送出する機能を有する場合、提示機器７１は、連携アダプタ１０と通信することが必須であるから、連携アダプタ１０に組み込まれている第２の通信Ｉ／Ｆ部１２と通信可能である。一方この場合、連携アダプタ１０の最小限の機能では、設備機器７２、コントローラ７０、通信機器７３との通信は必須ではない。この場合、連携アダプタ１０は、設備機器７２、コントローラ７０、通信機器７３と通信するための第２の通信Ｉ／Ｆ部１２Ａを、後付けで増設する構成であってもよい。
　【０１２２】
　図２に示す連携アダプタ１０は、設備機器７２、コントローラ７０、通信機器７３との通信が必要になったときに、これらの機器と通信を行うための第２の通信Ｉ／Ｆ部１２Ａを増設する構成を採用している。連携アダプタ１０に付加される第２の通信Ｉ／Ｆ部１２Ａは、連携アダプタ１０の器体１４に装着される。第２の通信Ｉ／Ｆ部１２Ａは、取り替え可能であって、通信相手となる機器（コントローラ７０、提示機器７１、設備機器７２、通信機器７３）の種類に応じた構成が採用される。
　【０１２３】
　図３に示す使用例において、連携アダプタ１０は、処理部１３のファームウェアの更新および第２の通信Ｉ／Ｆ部１２Ａを付加することによって、通信機器７３とＷｉＦｉ（登録商標）による無線通信を行い、コントローラ７０と特定小電力無線による無線通信を行う構成を採用している。この構成において、通信機器７３は、管理装置６１、コントローラ７０、設備機器７２、提示機器７１として機能する端末装置と通信する。
　【０１２４】
　連携アダプタ１０に組み込まれた第２の通信Ｉ／Ｆ部１２が、提示機器７１のみと通信する構成の場合には、第２の通信Ｉ／Ｆ部１２は、たとえばＷｉＦｉ（登録商標）による無線通信だけが行えればよい。この連携アダプタ１０に対して、コントローラ７０との通信が必要になる場合には、特定小電力無線による通信機能を有する第２の通信Ｉ／Ｆ部１２Ａが連携アダプタ１０に装着される。また、通信機器７３との通信が必要になる場合には、連携アダプタ１０に組み込まれた第２の通信Ｉ／Ｆ部１２は、通信機器７３との通信が可能になるように、処理部１３のファームウェアが更新される。
　【０１２５】
　設備機器７２と通信する場合、連携アダプタ１０は、設備機器７２の管理を行う機能が付与される。すなわち、処理部１３は、入力情報を用いて、設備機器７２の動作状態を管理する出力情報を生成する。設備機器７２の動作状態を管理する際に用いる入力情報は、電力量計２０から取得する需要家で使用した電力の使用量あるいはデマンドレスポンス、計測ユニット３３から取得する負荷回路３８ごとの電力に関する情報を含む。さらに、処理部１３は、設備機器７２の動作状態を管理する出力情報を生成するために用いる入力情報は、設備機器７２から取得する設備機器７２の動作状態に関する情報を含む場合もある。
　【０１２６】
　出力情報の生成に用いられる情報（入力情報）は、たとえば第１の通信Ｉ／Ｆ部１１と第２の通信Ｉ／Ｆ部１２とを通して処理部１３に与えられる。処理部１３は、設備機器７２を管理するためのプログラムを実行することにより、上述のような入力情報を用いて出力情報を生成し、設備機器７２を制御する。連携アダプタ１０は、たとえば、デマンドレスポンスに応じた節電を行うために、優先度の低い設備機器７２を停止させる制御、あるいは設備機器７２の動作状態を消費電力が低減される動作状態に移行させる制御などを設備機器７２に指示する。
　【０１２７】
　ところで、上述した動作はコントローラ７０と同様の動作であり、コントローラ７０は設備機器７２を管理する場合、電力量計２０から取得する情報、計測ユニット３３から取得する情報、設備機器７２から取得する情報を必要とする。コントローラ７０は、設備機器７２と通信するから、設備機器７２に関する情報を設備機器７２から直接取得する。また、コントローラ７０は、電力量計２０および計測ユニット３３からの情報は、連携アダプタ１０から取得する。
　【０１２８】
　ここに、連携アダプタ１０とコントローラ７０とが同時に設備機器７２を管理しようとすると、互いに干渉する可能性がある。そのため、第２の通信Ｉ／Ｆ部１２がコントローラ７０と通信する場合には、処理部１３は設備機器７２を管理する処理が禁止される。なお、第２の通信Ｉ／Ｆ部１２は、コントローラ７０と通信する場合は、たとえば、特定小電力無線による無線伝送路を用いる。
　【０１２９】
　通常、処理部１３に用いられるプロセッサは、コスト上の制約があることなどから、高い処理能力を望むことは困難であり、設備機器７２を管理する際の処理内容には制限がある。これに対して、一般に、コントローラ７０に用いられるプロセッサは、処理部１３に比べて処理能力が高く、また、コントローラ７０に設けられるインターフェイス部も連携アダプタ１０に比べて高機能である。
　【０１３０】
　したがって、設備機器７２を簡便に管理する場合、連携アダプタ１０が用いられ、設備機器７２の管理により高度な処理が求められる場合は、コントローラ７０が用いられる。コントローラ７０が行うこの種の処理には、設備機器７２の動作状態をタイムスケジュールに従って管理する処理、設備機器７２の異常に対する対処などがある。
　【０１３１】
　（通信機器との連携）
　第２の通信Ｉ／Ｆ部１２がルータのような通信機器７３と通信する場合には、連携アダプタ１０は、通信機器７３を通して管理装置６１あるいは管理装置６２と通信することが可能になる。連携アダプタ１０は、ファームウェアのアップデータを受信する場合などに、この通信経路を利用することが可能である。
　【０１３２】
　なお、上述した提示機器７１は、図３に示すように、連携アダプタ１０と直接通信せずに、通信機器７３を介して連携アダプタ１０と通信してもよい。すなわち、需要家において、通信機器７３をアクセスポイントとする無線ＬＡＮ（Ｌｏｃａｌ　Ａｒｅａ　Ｎｅｔｗｏｒｋ）が構築されている場合、提示機器７１は、通信機器７３を介して連携アダプタ１０と通信する構成を採用してもよい。さらに、需要家に通信機器７３との通信が可能な設備機器７２が設置されている場合、あるいは需要家に通信機器７３との通信が可能なコントローラ７０が設けられている場合、提示機器７１は、通信機器７３を通して設備機器７２あるいはコントローラ７０を管理してもよい。
　【０１３３】
　上述した連携アダプタ１０および計測ユニット３３は、主幹ブレーカ３１および分岐ブレーカ３２を分電盤３０に取り付けるときに、合わせて分電盤３０に取り付けられる。たとえば、主幹ブレーカ３１および分岐ブレーカ３２だけではなく、連携アダプタ１０および計測ユニット３３も併せて内蔵された分電盤３０が工場から出荷される。もちろん、需要家の施工現場において、連携アダプタ１０および計測ユニット３３が分電盤３０に取り付けられてもよい。
　【０１３４】
　（自立分電盤との連携）
　以下、本実施形態の分電盤システムについて説明する。図１に示すように、本実施形態の分電盤システムは、系統電源２５からの電力供給が停止している状態で電力の出力が可能である第２の分散型電源４２が接続された分電盤３０と、自立分電盤８０とを備える。
　【０１３５】
　上述した第２の分散型電源４２のうち、太陽光発電装置、蓄電装置、蓄電池を搭載した電動車両などは、系統電源２５からの電力供給が停止した状態でも設備機器７２に対して交流電力を出力することが可能である。このような第２の分散型電源４２は、系統電源２５からの電力供給が停止している状態で交流電力を出力する端子を、分電盤３０の主幹回路に接続する端子とは別に備えている。以下、この端子から出力される電力を自立出力と呼ぶ。
　【０１３６】
　自立出力は、供給可能な容量に限りがあるから、需要家における特定の設備機器７２にのみ供給される。自立出力を受電する特定の設備機器７２は自立分電盤８０に設けられた第２の分岐ブレーカ８２に接続される。第２の分岐ブレーカ８２は、分電盤３０に設けられた分岐ブレーカ３２と同様に、電力を複数の負荷回路８３に分配するように設けられる。
　【０１３７】
　自立分電盤８０は、第２の分岐ブレーカ８２を複数個備える。第２の分岐ブレーカ８２の各々は、たとえば分岐ブレーカ３２と同様に２Ｐ１Ｅ型のブレーカである。自立分電盤８０には、１乃至複数個分の第２の分岐ブレーカ８２に相当するスペースが第３の取付スペースＳＰ３として確保されている。第３の取付スペースＳＰ３には、漏電ブレーカであって、自立分電盤８０の受電経路に挿入される第３の開閉器５３が取りつけられる。図２に示す例では、第３の取付スペースＳＰ３は、３個の第２の分岐ブレーカ８２に相当するスペースを有している。
　【０１３８】
　自立分電盤８０は、平時は、主幹ブレーカ３１を通して分電盤３０から電力を受電しているが、系統電源２５からの給電が停止すると、第２の分散型電源４２の自立出力を受電する。自立分電盤８０の受電元は、切替器５４により選択される。切替器５４は、系統電源２５の給電状態を監視し、給電状態に応じて機械式の接点を切り替える。系統電源２５の給電が継続している間、切替器５４は分電盤３０から受電する状態を選択し、給電が停止すると、切替器５４は第２の分散型電源４２の自立出力から受電する状態を選択する。系統電源２５からの給電状態が復旧すれば、切替器５４は平時の状態に復帰する。
　【０１３９】
　切替器５４は、第３の開閉器５３とは別に設けることが可能であるが、第３の開閉器５３が切替器５４と兼用されていることが望ましい。すなわち、図１には、第３の開閉器５３と切替器５４とを個別に記載しているが、図８に示すように、切替器５４の機能は第３の開閉器５３に内蔵されていることが望ましい。この構成では、切替器５４が自立分電盤８０に内蔵されることにより、図４に示すように、分電盤３０と自立分電盤８０とを隙間なく並べて配置することが可能になる。
　【０１４０】
　図３および図４には分電盤３０の扉３６および自立分電盤８０の扉８４を閉じた状態が示されており、図２には分電盤３０について扉を開いた状態を示している。
　【０１４１】
　なお、切替器５４は、自立分電盤８０に給電する電源を選択する際に、系統電源２５の停止と復帰を検出した後に、数秒程度が経過してから電源を選択することが望ましい。これは、自立分電盤８０に接続されている設備機器７２に残留する電荷が消費されるまで待つことによって、切替器５４の接点の消耗や溶着を防止するためである。
　【０１４２】
　自立分電盤８０の第２の分岐ブレーカ８２に接続される設備機器７２は、主として通信、照明のように安全に関わる機器であり、夏季における冷蔵庫のように、食品の保存に関わる機器が含まれていてもよい。なお、日中と夜間、夏季と冬季、人の存在と不在とのように、種々の条件に応じて第２の分岐ブレーカ８２を通して給電する設備機器７２が選択可能になっていてもよい。
　【０１４３】
　（使用例）
　たとえば、分電盤３０は、主幹ブレーカ３１、分岐ブレーカ３２が工場出荷前に組み込まれ、さらに、電力量計２０と通信可能な連携アダプタ１０が少なくとも現場施工まで（望ましくは、工場出荷前）に組み込まれる。
　【０１４４】
　最小構成の分電盤３０は、たとえば、電力量計２０が計測した電力に関する情報を提示機器７１に提示する機能と、電力量計２０を通して管理装置６１，６２から通知されるデマンドレスポンスのような情報を提示機器７１に提示する機能とだけを有している。すなわち、需要家における電力の使用量に関する情報が利用者に提示され、また、管理装置６１，６２からの情報が利用者に提示され、節電の要請、電気料金の単価、供給側の電力不足が懸念される時間帯などの情報が利用者に提示される。このような情報の提示により、利用者にとって電力の使用量に関する意識付けが行われる。
　【０１４５】
　太陽光発電装置のように発電した電力を電力系統へ逆潮流させる（たとえば、電力系統への逆潮流が許容されている）第１の分散型電源４１を需要家が導入する場合は、連携アダプタ１０に、第１の分散型電源４１を主幹回路に接続するための第１の開閉器５１が取りつけられる。さらに、第１の分散型電源４１が接続された場合の処理が可能になるように、連携アダプタ１０における処理部１３のプログラムとデータの更新が行われる。
　【０１４６】
　需要家が設備機器７２を管理するためのコントローラ７０を設ける場合には、必要に応じて第２の通信Ｉ／Ｆ部１２Ａを付加し、連携アダプタ１０における処理部１３のプログラムとデータを更新する。コントローラ７０を設けない場合であっても、連携アダプタ１０によって設備機器７２の管理を行う場合には、必要に応じて第２の通信Ｉ／Ｆ部１２Ａを付加し、連携アダプタ１０における処理部１３のプログラムとデータを更新する。提示機器７１と同じ通信方式を採用した通信機器７３との通信を可能にする場合には、第２の通信Ｉ／Ｆ部１２Ａを付加することは必須ではないが、通信機器７３との通信を行うために処理部１３のプログラムとデータを更新する。
　【０１４７】
　発電した電力を逆潮流させない（たとえば逆潮流が禁止されている）第２の分散型電源４２を需要家が導入する場合は、分電盤３０に設けられた第２の取付スペースＳＰ２に、第２の開閉器５２が取りつけられる。この場合も、第１の分散型電源４１を導入する場合と同様に、連携アダプタ１０における処理部１３のプログラムとデータが、第２の分散型電源４２の管理に適するように更新される。なお、図示例は、分電盤３０に第２の取付スペースＳＰ２が１つ設けられているが、第２の取付スペースＳＰ２は複数設けられていてもよい。
　【０１４８】
　第２の分散型電源４２は、燃料電池、太陽光発電装置のように電力の供給のみを行う構成と、蓄電装置、蓄電池を搭載した電動車両のように充電と放電とを行う構成とを含む。充電と放電とを行う第２の分散型電源４２を用いる場合は、充電および放電の電力の管理およびタイミングの管理を行うように、処理部１３のプログラムとデータが更新される。
　【０１４９】
　さらに、第２の分散型電源４２が導入されている場合に、系統電源２５からの給電が停止している期間でも特定の設備機器７２への給電を可能とする場合には、自立分電盤８０が需要家に導入される。自立分電盤８０は、第２の分散型電源４２が導入されている場合に必要に応じて導入される。すなわち、自立分電盤８０は、第２の分散型電源４２と同時または追加して導入される。
　【０１５０】
　以上説明したように、連携アダプタ１０を取りつけた分電盤３０が需要家に設置されていれば、電力量計２０と通信することにより得られる情報を、提示機器７１を通して利用者に提示するという最小限の機能を持たせることができる。その後、第１の分散型電源４１、第２の分散型電源４２、コントローラ７０、自立分電盤８０などから選択される設備が需要家に導入されるたびに、これらの設備に必要な部材が分電盤３０に組み込まれる。さらに、導入した設備の管理や動作に必要なプログラムとデータが、連携アダプタ１０の処理部１３に実装される。
　【０１５１】
　言い換えると、需要家は、連携アダプタ１０が取りつけられた基本構成の分電盤３０が最初に導入されていれば、後に、分電盤３０の入れ替えのような大幅な変更を要さずに、種々の設備を必要に応じて導入することが可能になる。要するに、基本構成の分電盤３０が需要家に用意されていれば、設備の充実に伴って部材を付加することにより、多機能の分電盤３０を構築することが可能になる。
　【０１５２】
　上述した構成例において、連携アダプタ１０の処理部１３は、電力に関する情報のみを入力情報に用いている。ただし、ガス、水道、熱などの資源であって、需要家での使用量を計測する計測装置が設置されている場合、処理部１３は、これらの資源の使用に関する情報を入力情報に含めてもよい。すなわち、処理部１３は、資源の使用に関する情報を入力情報に加え、入力情報（資源の使用に関する情報を含む）に基づいて出力情報を生成してもよい。処理部１３が電力以外の資源の情報も入力情報に含めることにより、需要家での資源の利用を総合的に管理することが可能になる。
（５７）【特許請求の範囲】
　【請求項１】
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報
と、
　前
　の少なくとも一つを含
み、
　前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になる
　分電盤。
　【請求項２】
　前記入力情報は、少なくとも、前記電力系統から受電する電力に関する情報と、前記複数の分岐ブレーカをそれぞれ通過する電力に関する情報とを含む
　請求項１記載の分電盤。
　【請求項３】
　前記複数の負荷回路の電力をそれぞれ計測するよう構成される複数のセンサが設けられた計測ユニットをさらに備え、
　前記連携アダプタは、前記複数の分岐ブレーカをそれぞれ通過する電力に関する情報と、前記第２の開閉器を通過する電力に関する情報とを、前記計測ユニットから取得するよう構成される
　請求項１または２記載の分電盤。
　【請求項４】
　前記連携アダプタは、前記他装置と通信するよう構成される通信インターフェイス部を備え、
　前記通信インターフェイス部は、
　公衆網を通して通信する通信機器に前記出力情報を送出することと、
　利用者に情報を提示する提示機器に前記出力情報を送出することと、
　前記分電盤が取り付けられた所定場所に設置される設備機器を管理するコントローラに前記出力情報を送出することと
　のうちの少なくとも一つを行うよう構成される
　請求項１〜３のいずれか１項に記載の分電盤。
　【請求項５】
　分電盤であって、
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報と、
　前記第１の開閉器を通過する電力に関する情報と、
　前記第２の開閉器を通過する電力に関する情報と
　の少なくとも一つを含み、
　前記連携アダプタは、前記他装置と通信するよう構成される通信インターフェイス部を備え、
　前記通信インターフェイス部は、
　公衆網を通して通信する通信機器に前記出力情報を送出することと、
　利用者に情報を提示する提示機器に前記出力情報を送出することと、
　前記分電盤が取り付けられた所定場所に設置される設備機器を管理するコントローラに前記出力情報を送出することと
　のうちの少なくとも一つを行うよう構成され、
　前記通信インターフェイス部は、さらに、前記所定場所に設置される設備機器と通信するよう構成され、
　前記処理部は、前記設備機器の制御と監視との少なくとも一方を行うよう構成され
る
　分
　【請求項６】
　分電盤であって、
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報と、
　前記第１の開閉器を通過する電力に関する情報と、
　前記第２の開閉器を通過する電力に関する情報と
　の少なくとも一つを含み、
　前記連携アダプタは、前記他装置と通信するよう構成される通信インターフェイス部を備え、
　前記通信インターフェイス部は、
　公衆網を通して通信する通信機器に前記出力情報を送出することと、
　利用者に情報を提示する提示機器に前記出力情報を送出することと、
　前記分電盤が取り付けられた所定場所に設置される設備機器を管理するコントローラに前記出力情報を送出することと
　のうちの少なくとも一つを行うよう構成され、
　前記通信インターフェイス部は、さらに、通信機能を有した電力量計と通信するよう構成され、
　前記処理部は、前記電力量計から取得した情報を前記入力情報に加えるよう構成され
る
　分
　【請求項７】
　前記連携アダプタは、前記通信インターフェイス部が取り替え可能に装着される
　請求項４〜６のいずれか１項に記載の分電盤。
　【請求項８】
　分電盤であって、
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報と、
　前記第１の開閉器を通過する電力に関する情報と、
　前記第２の開閉器を通過する電力に関する情報と
　の少なくとも一つを含み、
　前記連携アダプタは、前記他装置と通信するよう構成される通信インターフェイス部を備え、
　前記通信インターフェイス部は、
　公衆網を通して通信する通信機器に前記出力情報を送出することと、
　利用者に情報を提示する提示機器に前記出力情報を送出することと、
　前記分電盤が取り付けられた所定場所に設置される設備機器を管理するコントローラに前記出力情報を送出することと
　のうちの少なくとも一つを行うよう構成され、
　前記通信インターフェイス部は、前記コントローラと通信するよう構成され、
　前記処理部は、
　前記コントローラから前記設備機器に関する情報を取得し、
　前記コントローラから取得した前記設備機器に関する情報を前記入力情報に加え、
　前記入力情報に基づいて前記設備機器を管理する情報を生成し、生成した情報を前記出力情報として前記コントローラに引き渡す
　よう構成され
る
　分
　【請求項９】
　前記処理部は、前記入力情報から前記出力情報を生成するためのプログラムを実行するプロセッサを備え、前記通信インターフェイス部を通して前記プログラムを取得するよう構成される
　請求項４〜８のいずれか１項に記載の分電盤。
　【請求項１０】
　分電盤であって、
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報と、
　前記第１の開閉器を通過する電力に関する情報と、
　前記第２の開閉器を通過する電力に関する情報と
　の少なくとも一つを含み、
　記憶媒体が着脱可能に装着される接続部をさらに備え、
　前記処理部は、前記入力情報から前記出力情報を生成するためのプログラムを実行するプロセッサを備え、前記記憶媒体から前記プログラムを取得するよう構成され
る
　分
　【請求項１１】
　分電盤であって、
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報と、
　前記第１の開閉器を通過する電力に関する情報と、
　前記第２の開閉器を通過する電力に関する情報と
　の少なくとも一つを含み、
　前記連携アダプタは、
　前記電力系統の電源線が接続される第１の端子部と、
　前記第１の端子部と電気的に接続され、かつ前記主幹ブレーカが電気的に接続される第２の端子部と
　を備え
る
　分
　【請求項１２】
　分電盤であって、
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報と、
　前記第１の開閉器を通過する電力に関する情報と、
　前記第２の開閉器を通過する電力に関する情報と
　の少なくとも一つを含み、
　前記連携アダプタは、
　前記電力系統の電源線が接続される第１の端子部と、
　前記第１の端子部と電気的に接続され、かつ前記主幹ブレーカが電気的に接続される第２の端子部と、
　前記第１の端子部および前記第２の端子部と電気的に接続され、かつ前記第１の開閉器が電気的に接続される第３の端子部と
　を備え
る
　分
　【請求項１３】
　前記連携アダプタは、前記第１の開閉器を通過した電力を計測するよう構成される内蔵センサをさらに備え、
　前記処理部は、前記内蔵センサが計測した電力から、前記第１の開閉器を通過する電力に関する情報を求める
　請求項１２記載の分電盤。
　【請求項１４】
　前記処理部は、前記入力情報に含まれる情報の関係を用いて、前記第１の分散型電源が発電した電力のうち前記電力系統に逆潮流を行った電力を算出し、算出結果を前記出力情報として前記他装置に出力する
　請求項１３記載の分電盤。
　【請求項１５】
　前記処理部は、
　前記分電盤が取り付けられた所定場所に供給される電力以外の資源の使用量を計測する計測装置から前記資源の使用に関する情報を取得し、
　前記取得した資源の使用に関する情報を前記入力情報に加えるよう構成される
　請求項１〜１４のいずれか１項に記載の分電盤。
　【請求項１６】
　分電盤であって、
　電力系統の電源線と電気的に接続される主幹ブレーカと、
　前記主幹ブレーカの負荷側の電路を複数の負荷回路に分岐する複数の分岐ブレーカと
　を備え、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報と、
　前記第１の開閉器を通過する電力に関する情報と、
　前記第２の開閉器を通過する電力に関する情報と
　の少なくとも一つを含み、
　前記連携アダプタは、前記処理部を収納し、且つ前記分電盤に取り付けられる器体をさらに備え、
　前記第１の取付スペースが前記器体に設けられてい
る
　分
　【請求項１７】
　前記第２の取付スペースは、前記分岐ブレーカを取りつけるためのスペースの一部であって、前記分岐ブレーカの１乃至複数個分に相当する寸法を有する
　請求項１〜１６のいずれか１項に記載の分電盤。
　【請求項１８】
　系統電源からの電力供給が停止している状態で電力の出力が可能である第２の分散型電源が接続された分電盤と、
　前記系統電源からの電力供給が停止している状態で電力供給が必要である機器が接続された第２の分岐ブレーカを備える自立分電盤と
　を備え、
　前記分電盤は、
　電力系統の電源線と電気的に接続される主幹ブレーカと、
　前記主幹ブレーカの負荷側の電路を複数の負荷回路に分岐する複数の分岐ブレーカと、
　発電した電力を前記電力系統へ逆潮流させる第１の分散型電源と前記主幹ブレーカの電源側との間に接続される第１の開閉器が配置される、第１の取付スペースと、
　発電した電力を前記電力系統へ逆潮流させない前記第２の分散型電源と前記主幹ブレーカの負荷側との間に接続される第２の開閉器が配置される、第２の取付スペースと、
　連携アダプタと
　を備え、
　前記連携アダプタは、入力情報に基づいて他装置に出力する出力情報を生成するよう構成される処理部を備え、
　前記入力情報は、
　前記電力系統から受電する電力に関する情報と、
　前記複数の分岐ブレーカをそれぞれ通過する電力に関する情報と、
　前記第２の開閉器を通過する電力に関する情報と
　の少なくとも一つを含み、
　前記処理部は、前記第１の分散型電源が前記第１の取付スペースに配置された前記第１の開閉器に接続されると、前記第１の開閉器を通過する電力に関する情報を処理するためのプログラムとデータとを読み込むことで、前記第１の開閉器を通過する電力に関する情報を更に含む前記入力情報に基づいて前記出力情報を生成する処理が可能になり、
　前記自立分電盤は、前記系統電源から電力が供給されている期間には前記主幹ブレーカを通して給電され、前記系統電源からの電力供給が停止している期間には前記第２の分散型電源から給電される
　分電盤システム。
　【請求項１９】
　前記自立分電盤は、前記分電盤と前記第２の分散型電源とのいずれかから受電し、受電した電力を前記第２の分岐ブレーカに給電する第３の開閉器を備える
　請求項１８記載の分電盤システム。
　【請求項２０】
　前記第３の開閉器が受電する経路に、前記系統電源から電力が供給されている期間に前記主幹ブレーカを通して受電する状態を選択し、前記系統電源からの電力供給が停止している期間に前記第２の分散型電源から受電する状態を選択する切替器をさらに備える
　請求項１９記載の分電盤システム。
　【請求項２１】
　前記第３の開閉器と前記切替器とが前記自立分電盤に設けられている
　請求項２０記載の分電盤システム。
　【請求項２２】
　請求項１８〜２１のいずれか１項に記載の分電盤システムに用いられる自立分電盤。